(57)【特許請求の範囲】
【請求項１】
移動局によって、レンジング動作を実行するための基地局を選択する方法であって、
１または複数の候補基地局のレンジング・トラフィック量を示す１または複数のレンジング・ローディング・パラメータを受信することと、
前記レンジング・ローディング・パラメータに少なくとも部分的に基づいて、前記候補基地局から、レンジングを実行するための基地局を選択することであって、前記選択することは、しきい値未満であるレンジング・ローディング・パラメータを少なくとも１つ有する基地局を選択することを備える、ことと、
前記選択された基地局を用いて前記レンジング動作を実行することと
を備える方法。
【請求項２】
前記レンジング・ローディング・パラメータは、前記候補基地局のおのおののために、１つのレンジング・ローディング・パラメータを備える請求項１に記載の方法。
【請求項３】
前記レンジング・ローディング・パラメータは、使用可能なレンジング・スロット数によって除された、使用されたレンジング・スロット数を表すレンジング・ローディング・ファクタを備える請求項２に記載の方法。
【請求項４】
前記レンジング・ローディング・パラメータは、未使用のレンジング・スロットの数またはパーセンテージを備える請求項２に記載の方法。
【請求項５】
前記レンジング・ローディング・パラメータは、前記候補基地局の各レンジング領域について１つのレンジング・ローディング・パラメータを備え、
前記基地局を選択することは、前記レンジング・ローディング・パラメータに少なくとも部分的に基づいて、前記基地局と、レンジングを実行する前記基地局のレンジング領域とを選択することを備える請求項１に記載の方法。
【請求項６】
前記基地局を選択することは、
サービス提供基地局のレンジング・ローディング・パラメータに基づいて、前記サービス提供基地局が、レンジング・オーバロードであるかを判定することと、
前記サービス提供基地局がレンジング・オーバロードではない場合、前記サービス提供基地局を、レンジングを実行する基地局として選択することと、
前記サービス提供基地局がレンジング・オーバロードである場合、前記候補基地局から、レンジングを実行する基地局として、前記サービス提供基地局よりも良好なレンジング・ローディング・パラメータを有する近隣基地局を選択することと
を備える請求項１に記載の方法。
【請求項７】
前記選択することは、前記レンジング・ローディング・パラメータに加えて、チャネル対干渉および雑音比（ＣＩＮＲ）、受信信号強度インジケーション（ＲＳＳＩ）、往復遅延（ＲＴＤ）、スケジューリング・サービス・サポート、使用可能なリソース、または、サービス品質（ＱｏＳ）のうちの少なくとも１つに基づいて前記基地局を選択することを備える請求項１に記載の方法。
【請求項８】
前記選択することは、最低の受信レンジング・ローディング・パラメータを有する基地局を、前記候補基地局から選択することを備える請求項１に記載の方法。
【請求項９】
前記レンジング・ローディング・パラメータを受信することは、前記レンジング・ローディング・パラメータのうちの少なくとも１つを有するアップリンク・チャンネル記述子（ＵＣＤ）を受信することを備える請求項１に記載の方法。
【請求項１０】
前記レンジング・ローディング・パラメータを受信することは、前記レンジング・ローディング・パラメータのうちの少なくとも１つを有する近隣通知（ＭＯＢ−ＮＢＲ＿ＡＤＶ）メッセージを受信することを備える請求項１に記載の方法。
【請求項１１】
レンジング動作を実行するための基地局を、移動局によって選択するための命令群を格納したコンピュータ読取可能な記憶媒体であって、
前記命令群は、１または複数のコンピュータによって実行されることが可能であり、前記命令群は、
１または複数の候補基地局のレンジング・トラフィック量を示す１または複数のレンジング・ローディング・パラメータを受信するための命令群と、
前記レンジング・ローディング・パラメータに少なくとも部分的に基づいて、前記候補基地局から、レンジングを実行するための基地局を選択するための命令群であって、前記選択するための命令群は、しきい値未満であるレンジング・ローディング・パラメータを少なくとも１つ有する基地局を選択するための命令群を備える、命令群と、
前記選択された基地局を用いて前記レンジング動作を実行するための命令群と
を備える、コンピュータ読取可能な記憶媒体。
【請求項１２】
前記レンジング・ローディング・パラメータは、前記候補基地局のおのおののために、１つのレンジング・ローディング・パラメータを備える請求項１１に記載のコンピュータ読取可能な記憶媒体。
【請求項１３】
前記レンジング・ローディング・パラメータは、使用可能なレンジング・スロット数によって除された、使用されたレンジング・スロット数を表すレンジング・ローディング・ファクタを備える請求項１２に記載のコンピュータ読取可能な記憶媒体。
【請求項１４】
前記レンジング・ローディング・パラメータは、未使用のレンジング・スロットの数またはパーセンテージを備える請求項１２に記載のコンピュータ読取可能な記憶媒体。
【請求項１５】
前記レンジング・ローディング・パラメータは、前記候補基地局の各レンジング領域について１つのレンジング・ローディング・パラメータを備え、
前記基地局を選択するための命令群は、前記レンジング・ローディング・パラメータに少なくとも部分的に基づいて、前記基地局と、レンジングを実行する前記基地局のレンジング領域とを選択するための命令群を備える請求項１１に記載のコンピュータ読取可能な記憶媒体。
【請求項１６】
前記基地局を選択するための命令群は、
サービス提供基地局のレンジング・ローディング・パラメータに基づいて、前記サービス提供基地局が、レンジング・オーバロードであるかを判定するための命令群と、
前記サービス提供基地局がレンジング・オーバロードではない場合、前記サービス提供基地局を、レンジングを実行する基地局として選択するための命令群と、
前記サービス提供基地局がレンジング・オーバロードである場合、前記候補基地局から、レンジングを実行する基地局として、前記サービス提供基地局よりも良好なレンジング・ローディング・パラメータを有する近隣基地局を選択するための命令群と
を備える請求項１１に記載のコンピュータ読取可能な記憶媒体。
【請求項１７】
前記選択するための命令群は、前記レンジング・ローディング・パラメータに加えて、チャネル対干渉および雑音比（ＣＩＮＲ）、受信信号強度インジケーション（ＲＳＳＩ）、往復遅延（ＲＴＤ）、スケジューリング・サービス・サポート、使用可能なリソース、または、サービス品質（ＱｏＳ）のうちの少なくとも１つに基づいて前記基地局を選択するための命令群を備える請求項１１に記載のコンピュータ読取可能な記憶媒体。
【請求項１８】
前記選択するための命令群は、最低の受信レンジング・ローディング・パラメータを有する基地局を、候補基地局から選択するための命令群を備える請求項１１に記載のコンピュータ読取可能な記憶媒体。
【請求項１９】
前記レンジング・ローディング・パラメータを受信するための命令群は、前記レンジング・ローディング・パラメータのうちの少なくとも１つを有するアップリンク・チャンネル記述子（ＵＣＤ）を受信するための命令群を備える請求項１１に記載のコンピュータ読取可能な記憶媒体。
【請求項２０】
前記レンジング・ローディング・パラメータを受信するための命令群は、前記レンジング・ローディング・パラメータのうちの少なくとも１つを有する近隣通知（ＭＯＢ−ＮＢＲ＿ＡＤＶ）メッセージを受信するための命令群を備える請求項１１に記載のコンピュータ読取可能な記憶媒体。
【請求項２１】
レンジング動作を実行するための基地局を選択する装置であって、
１または複数の候補基地局のレンジング・トラフィック量を示す１または複数のレンジング・ローディング・パラメータを受信する手段と、
前記レンジング・ローディング・パラメータに少なくとも部分的に基づいて、前記候補基地局から、レンジングを実行するための基地局を選択する手段であって、前記選択する手段が、しきい値未満であるレンジング・ローディング・パラメータを少なくとも１つ有する基地局を選択する手段を備える、手段と、
前記選択された基地局を用いて前記レンジング動作を実行する手段と
を備える装置。
【請求項２２】
前記レンジング・ローディング・パラメータは、前記候補基地局のおのおののために、１つのレンジング・ローディング・パラメータを備える請求項２１に記載の装置。
【請求項２３】
前記レンジング・ローディング・パラメータは、使用可能なレンジング・スロット数によって除された、使用されたレンジング・スロット数を表すレンジング・ローディング・ファクタを備える請求項２２に記載の装置。
【請求項２４】
前記レンジング・ローディング・パラメータは、未使用のレンジング・スロットの数またはパーセンテージを備える請求項２２に記載の装置。
【請求項２５】
前記レンジング・ローディング・パラメータは、前記候補基地局の各レンジング領域について１つのレンジング・ローディング・パラメータを備え、
前記基地局を選択する手段は、前記レンジング・ローディング・パラメータに少なくとも部分的に基づいて、前記基地局と、レンジングを実行する前記基地局のレンジング領域とを選択する手段を備える請求項２１に記載の装置。
【請求項２６】
前記基地局を選択する手段は、
サービス提供基地局のレンジング・ローディング・パラメータに基づいて、前記サービス提供基地局が、レンジング・オーバロードであるかを判定する手段と、
前記サービス提供基地局がレンジング・オーバロードではない場合、前記サービス提供基地局を、レンジングを実行する基地局として選択する手段と、
前記サービス提供基地局がレンジング・オーバロードである場合、前記候補基地局から、レンジングを実行する基地局として、前記サービス提供基地局よりも良好なレンジング・ローディング・パラメータを有する近隣基地局を選択する手段と
を備える請求項２１に記載の装置。
【請求項２７】
前記選択する手段は、前記レンジング・ローディング・パラメータに加えて、チャネル対干渉および雑音比（ＣＩＮＲ）、受信信号強度インジケーション（ＲＳＳＩ）、往復遅延（ＲＴＤ）、スケジューリング・サービス・サポート、使用可能なリソース、または、サービス品質（ＱｏＳ）のうちの少なくとも１つに基づいて前記基地局を選択する手段を備える請求項２１に記載の装置。
【請求項２８】
前記選択する手段は、最低の受信レンジング・ローディング・パラメータを有する基地局を、候補基地局から選択する手段を備える請求項２１に記載の装置。
【請求項２９】
前記レンジング・ローディング・パラメータを受信する手段は、前記レンジング・ローディング・パラメータのうちの少なくとも１つを有するアップリンク・チャンネル記述子（ＵＣＤ）を受信する手段を備える請求項２１に記載の装置。
【請求項３０】
前記レンジング・ローディング・パラメータを受信する手段は、前記レンジング・ローディング・パラメータのうちの少なくとも１つを有する近隣通知（ＭＯＢ−ＮＢＲ＿ＡＤＶ）メッセージを受信する手段を備える請求項２１に記載の装置。
【請求項３１】
モバイル・デバイスであって、
１または複数の候補基地局のためのレンジング・トラフィック量を示す１または複数のレンジング・ローディング・パラメータを受信するように構成された受信機フロント・エンドと、
前記レンジング・ローディング・パラメータに少なくとも部分的に基づいて、前記候補基地局から、レンジングを実行するための基地局を選択するためのロジックであって、前記選択するためのロジックは、しきい値未満であるレンジング・ローディング・パラメータを少なくとも１つ有する基地局を選択するように構成される、ロジックと、
前記選択された基地局を用いてレンジング動作を実行するためのロジックと
を備えるモバイル・デバイス。
【請求項３２】
前記レンジング・ローディング・パラメータは、前記候補基地局のおのおののために、１つのレンジング・ローディング・パラメータを備える請求項３１に記載のモバイル・デバイス。
【請求項３３】
前記レンジング・ローディング・パラメータは、使用可能なレンジング・スロット数によって除された、使用されたレンジング・スロット数を表すレンジング・ローディング・ファクタを備える請求項３２に記載のモバイル・デバイス。
【請求項３４】
前記レンジング・ローディング・パラメータは、未使用のレンジング・スロットの数またはパーセンテージを備える請求項３２に記載のモバイル・デバイス。
【請求項３５】
前記レンジング・ローディング・パラメータは、前記候補基地局の各レンジング領域について１つのレンジング・ローディング・パラメータを備え、
前記基地局を選択するためのロジックは、前記レンジング・ローディング・パラメータに少なくとも部分的に基づいて、前記基地局と、レンジングを実行する前記基地局のレンジング領域とを選択するためのロジックを備える請求項３１に記載のモバイル・デバイス。
【請求項３６】
前記基地局を選択するためのロジックは、サービス提供基地局のレンジング・ローディング・パラメータに基づいて、前記サービス提供基地局が、レンジング・オーバロードであるかを判定し、前記サービス提供基地局がレンジング・オーバロードではない場合、前記サービス提供基地局を、レンジングを実行する基地局として選択し、前記サービス提供基地局がレンジング・オーバロードである場合、前記候補基地局から、レンジングを実行する基地局として、前記サービス提供基地局よりも良好なレンジング・ローディング・パラメータを有する近隣基地局を選択するように構成された請求項３１に記載のモバイル・デバイス。
【請求項３７】
前記選択するためのロジックは、前記レンジング・ローディング・パラメータに加えて、チャネル対干渉および雑音比（ＣＩＮＲ）、受信信号強度インジケーション（ＲＳＳＩ）、往復遅延（ＲＴＤ）、スケジューリング・サービス・サポート、使用可能なリソース、または、サービス品質（ＱｏＳ）のうちの少なくとも１つに基づいて前記基地局を選択するように構成された請求項３１に記載のモバイル・デバイス。
【請求項３８】
前記選択するためのロジックは、最低の受信レンジング・ローディング・パラメータを有する基地局を、候補基地局から選択するように構成された請求項３１に記載のモバイル・デバイス。
【請求項３９】
前記受信機フロント・エンドは、前記レンジング・ローディング・パラメータのうちの少なくとも１つを有するアップリンク・チャンネル記述子（ＵＣＤ）を受信するように構成された請求項３１に記載のモバイル・デバイス。
【請求項４０】
前記受信機フロント・エンドは、前記レンジング・ローディング・パラメータのうちの少なくとも１つを有する近隣通知（ＭＯＢ−ＮＢＲ＿ＡＤＶ）メッセージを受信するように構成された請求項３１に記載のモバイル・デバイス。
【請求項４１】
基地局が、前記基地局のレンジング・トラフィック量を移動局へ示す方法であって、
前記基地局のレンジング・トラフィック量を判定することと、
前記基地局のレンジング・トラフィック量を示すレンジング・ローディング・パラメータを送信することと、
前記レンジング・ローディング・パラメータがしきい値未満である場合にレンジング要求を受信することと
を備える方法。
【請求項４２】
前記レンジング・トラフィック量を判定することは、前記基地局について、使用されたレンジング・スロット数を、使用可能なレンジング・スロット数で除することを備える請求項４１に記載の方法。
【請求項４３】
前記レンジング・トラフィック量を判定することは、未使用のレンジング・スロットの数またはパーセンテージを判定することを備える請求項４１に記載の方法。
【請求項４４】
前記レンジング・トラフィック量を判定することは、無線通信ネットワークのバックボーンによって、前記基地局のレンジング・ローディング・パラメータまたはレンジング・トラフィック量を受信することを備える請求項４１に記載の方法。
【請求項４５】
前記基地局は、前記サービス提供基地局よりも良好なレンジング・ローディング・パラメータを有する近隣基地局であり、
前記レンジング・ローディング・パラメータを送信することは、前記近隣基地局のレンジング・ローディング・パラメータを有する近隣通知（ＭＯＢ＿ＮＢＲ−ＡＤＶ）メッセージを送信することを備える請求項４１に記載の方法。
【請求項４６】
前記基地局は、サービス提供基地局であり、
前記レンジング・ローディング・パラメータを送信することは、前記サービス提供基地局のレンジング・ローディング・パラメータを有するアップリンク・チャンネル記述子（ＵＣＤ）を送信することを備える請求項４１に記載の方法。
【請求項４７】
前記レンジング要求は、レンジング要求（ＲＮＧ−ＲＥＱ）メッセージおよび符号分割多元接続（ＣＤＭＡ）レンジング符号のうちの１つを備える請求項４１に記載の方法。
【請求項４８】
基地局のレンジング・トラフィック量を移動局（ＭＳ）へ示すための命令群を格納したコンピュータ読取可能な記憶媒体であって、
前記命令群は、１または複数のコンピュータによって実行されることが可能であり、前記命令群は、
前記基地局のレンジング・トラフィック量を判定するための命令群と、
前記基地局のレンジング・トラフィック量を示すレンジング・ローディング・パラメータを送信するための命令群と、
前記レンジング・ローディング・パラメータがしきい値未満である場合にレンジング要求を受信するための命令群と
を備える、コンピュータ読取可能な記憶媒体。
【請求項４９】
前記レンジング・トラフィック量を判定するための命令群は、前記基地局について、使用されたレンジング・スロット数を、使用可能なレンジング・スロット数で除するための命令群を備える請求項４８に記載のコンピュータ読取可能な記憶媒体。
【請求項５０】
前記レンジング・トラフィック量を判定するための命令群は、未使用のレンジング・スロットの数またはパーセンテージを判定するための命令群を備える請求項４８に記載のコンピュータ読取可能な記憶媒体。
【請求項５１】
前記レンジング・トラフィック量を判定するための命令群は、無線通信ネットワークのバックボーンによって、前記基地局のレンジング・ローディング・パラメータまたはレンジング・トラフィック量を受信するための命令群を備える請求項４８に記載のコンピュータ読取可能な記憶媒体。
【請求項５２】
前記基地局は、前記サービス提供基地局よりも良好なレンジング・ローディング・パラメータを有する近隣基地局であり、
前記レンジング・ローディング・パラメータを送信するための命令群は、前記近隣基地局のレンジング・ローディング・パラメータを有する近隣通知（ＭＯＢ＿ＮＢＲ−ＡＤＶ）メッセージを送信するための命令群を備える請求項４８に記載のコンピュータ読取可能な記憶媒体。
【請求項５３】
前記基地局は、サービス提供基地局であり、
前記レンジング・ローディング・パラメータを送信するための命令群は、前記サービス提供基地局のレンジング・ローディング・パラメータを有するアップリンク・チャンネル記述子（ＵＣＤ）を送信するための命令群を備える請求項４８に記載のコンピュータ読取可能な記憶媒体。
【請求項５４】
前記レンジング要求は、レンジング要求（ＲＮＧ−ＲＥＱ）メッセージおよび符号分割多元接続（ＣＤＭＡ）レンジング符号のうちの１つを備える請求項４８に記載のコンピュータ読取可能な記憶媒体。
【請求項５５】
基地局のレンジング・トラフィック量を移動局（ＭＳ）に示すための装置であって、
前記基地局のレンジング・トラフィック量を判定する手段と、
前記基地局のレンジング・トラフィック量を示すレンジング・ローディング・パラメータを送信する手段と、
前記レンジング・ローディング・パラメータがしきい値未満である場合にレンジング要求を受信する手段と
を備える装置。
【請求項５６】
前記基地局である請求項５５に記載の装置。
【請求項５７】
前記レンジング・トラフィック量を判定する手段は、前記基地局について、使用されたレンジング・スロット数を、使用可能なレンジング・スロット数で除する手段を備える請求項５５に記載の装置。
【請求項５８】
前記レンジング・トラフィック量を判定する手段は、未使用のレンジング・スロットの数またはパーセンテージを判定する手段を備える請求項５５に記載の装置。
【請求項５９】
前記レンジング・トラフィック量を判定する手段は、無線通信ネットワークのバックボーンによって、前記基地局のレンジング・ローディング・パラメータまたはレンジング・トラフィック量を受信する手段を備える請求項５５に記載の装置。
【請求項６０】
前記基地局は、前記サービス提供基地局よりも良好なレンジング・ローディング・パラメータを有する近隣基地局であり、
前記レンジング・ローディング・パラメータを送信する手段は、前記近隣基地局のレンジング・ローディング・パラメータを有する近隣通知（ＭＯＢ＿ＮＢＲ−ＡＤＶ）メッセージを送信する手段を備える請求項５５に記載の装置。
【請求項６１】
前記基地局は、サービス提供基地局であり、
前記レンジング・ローディング・パラメータを送信する手段は、前記サービス提供基地局のレンジング・ローディング・パラメータを有するアップリンク・チャンネル記述子（ＵＣＤ）を送信する手段を備える請求項５５に記載の装置。
【請求項６２】
前記レンジング要求は、レンジング要求（ＲＮＧ−ＲＥＱ）メッセージおよび符号分割多元接続（ＣＤＭＡ）レンジング符号のうちの１つを備える請求項５５に記載の装置。
【請求項６３】
第２の基地局のレンジング・トラフィック量を移動局へ示すための第１の基地局であって、
前記第２の基地局のレンジング・トラフィック量を判定するロジックと、
前記第２の基地局のレンジング・トラフィック量を示すレンジング・ローディング・パラメータを送信するように構成された送信機フロント・エンドと、
前記レンジング・ローディング・パラメータがしきい値未満である場合にレンジング要求を受信するように構成された受信機フロント・エンドと
を備える第１の基地局。
【請求項６４】
前記レンジング・トラフィック量を判定するためのロジックは、前記第２の基地局について、使用されたレンジング・スロット数を、使用可能なレンジング・スロット数で除するように構成された請求項６３に記載の第１の基地局。
【請求項６５】
前記レンジング・トラフィック量を判定するためのロジックは、未使用のレンジング・スロットの数またはパーセンテージを判定するように構成された請求項６３に記載の第１の基地局。
【請求項６６】
前記レンジング・トラフィック量を判定するためのロジックは、無線通信ネットワークのバックボーンによって、前記第２の基地局のレンジング・ローディング・パラメータまたはレンジング・トラフィック量を受信するように構成された請求項６３に記載の第１の基地局。
【請求項６７】
前記第２の基地局は、前記サービス提供基地局よりも良好なレンジング・ローディング・パラメータを有する近隣基地局であり、
前記送信機フロント・エンドは、前記近隣基地局のレンジング・ローディング・パラメータを有する近隣通知（ＭＯＢ＿ＮＢＲ−ＡＤＶ）メッセージを送信するように構成された請求項６３に記載の第１の基地局。
【請求項６８】
前記第１の基地局は、サービス提供基地局であり、
前記送信機フロント・エンドは、前記サービス提供基地局のレンジング・ローディング・パラメータを有するアップリンク・チャンネル記述子（ＵＣＤ）を送信するように構成された請求項６３に記載の第１の基地局。
【請求項６９】
前記レンジング要求は、レンジング要求（ＲＮＧ−ＲＥＱ）メッセージおよび符号分割多元接続（ＣＤＭＡ）レンジング符号のうちの１つを備える請求項６３に記載の第１の基地局。
【発明の詳細な説明】
【技術分野】
【０００１】
本開示のある実施形態は一般に、無線通信に関し、さらに詳しくは、レンジング手順中に、平均待ち時間を低減するために、レンジング・トラフィック情報に基づいて、適切な基地局（ＢＳ）を選択することに関する。
【発明の概要】
【０００２】
本開示のある実施形態は一般に、ＢＳのレンジング・トラフィックの定量的なインジケーションをＭＳに提供することに関連する。これによって、レンジングのために選択されたＢＳが、ＭＳに許容可能な未使用のレンジング・スロット数を最も有し易くできるようにするレンジングを実行するために、ＭＳは、このＢＳを選択するか、別のＢＳを選択するかについて、通知された決定を行うことができるようになる。このように、レンジング・オーバヘッド（すなわち、レンジング手順中の平均待ち時間）が低減されうる。
【０００３】
本開示のある実施形態は、移動局によって、レンジング動作を実行するためのＢＳを選択する方法を提供する。この方法は一般に、１または複数の候補ＢＳのレンジング・トラフィック量を示す１または複数のレンジング・ローディング・パラメータを受信することと、レンジング・ローディング・パラメータに少なくとも部分的に基づいて、候補ＢＳから、レンジングを実行するためのＢＳを選択することと、選択されたＢＳを用いてレンジング動作を実行することとを含む。
【０００４】
本開示のある実施形態は、レンジング動作を実行するためのＢＳを、移動局によって選択するためのコンピュータ・プログラム製品を提供する。このコンピュータ・プログラム製品は、一般に、格納された命令群を有するコンピュータ読取可能媒体を含む。これら命令群は、１または複数のプロセッサによって実行されることが可能である。これら命令群は一般に、１または複数の候補ＢＳのレンジング・トラフィック量を示す１または複数のレンジング・ローディング・パラメータを受信するための命令群と、レンジング・ローディング・パラメータに少なくとも部分的に基づいて、候補ＢＳから、レンジングを実行するためのＢＳを選択するための命令群と、選択されたＢＳを用いてレンジング動作を実行するための命令群とを含む。
【０００５】
本開示のある実施形態は、レンジング動作を実行するためのＢＳを選択する装置を提供する。この装置は一般に、１または複数の候補ＢＳのレンジング・トラフィック量を示す１または複数のレンジング・ローディング・パラメータを受信する手段と、レンジング・ローディング・パラメータに少なくとも部分的に基づいて、候補ＢＳから、レンジングを実行するためのＢＳを選択する手段と、選択されたＢＳを用いてレンジング動作を実行する手段とを含む。
【０００６】
本開示の実施形態は、モバイル・デバイスを提供する。このモバイル・デバイスは一般に、１または複数の候補基地局（ＢＳ）のためのレンジング・トラフィック量を示す１または複数のレンジング・ローディング・パラメータを受信するように構成された受信機フロント・エンドと、レンジング・ローディング・パラメータに少なくとも部分的に基づいて、候補ＢＳから、レンジングを実行するためのＢＳを選択するためのロジックと、選択されたＢＳを用いてレンジング動作を実行するためのロジックとを含む。
【０００７】
本開示のある実施形態は、ＢＳのレンジング・トラフィック量を移動局（ＭＳ）へ示す方法を提供する。この方法は一般に、ＢＳのレンジング・トラフィック量を判定することと、ＢＳのレンジング・トラフィック量を示すレンジング・ローディング・パラメータを送信することとを含む。
【０００８】
本開示のある実施形態は、ＢＳのレンジング・トラフィック量をＭＳへ示すためのコンピュータ・プログラム製品を提供する。このコンピュータ・プログラム製品は、一般に、格納された命令群を有するコンピュータ読取可能媒体を含む。これら命令群は、１または複数のプロセッサによって実行されることが可能である。これら命令群は一般に、ＢＳのレンジング・トラフィック量を判定するための命令群と、ＢＳのレンジング・トラフィック量を示すレンジング・ローディング・パラメータを送信するための命令群とを含む。
【０００９】
本開示のある実施形態は、ＢＳのレンジング・トラフィック量をＭＳに示すための装置を提供する。この装置は一般に、ＢＳのレンジング・トラフィック量を判定する手段と、ＢＳのレンジング・トラフィック量を示すレンジング・ローディング・パラメータを送信する手段とを含む。
【００１０】
本開示のある実施形態は、第２のＢＳのレンジング・トラフィック量をＭＳへ示すための第１のＢＳを提供する。この第１のＢＳは一般に、第２のＢＳのレンジング・トラフィック量を判定するロジックと、第２のＢＳのレンジング・トラフィック量を示すレンジング・ローディング・パラメータを送信するように構成された送信機フロント・エンドとを含む。
【００１１】
本開示で示されたように、これら概要のパラグラフのうちの１または複数を含むある実施形態は、米国電気電子学会（ＩＥＥＥ）８０２．１６規格体系のうちの１または複数の規格に準拠したレンジング動作を実行することを含みうる。
【００１２】
本開示で示されたように、これら概要のパラグラフのうちの１または複数を含むある実施形態は、米国電気電子学会（ＩＥＥＥ）８０２．１６規格体系のうちの１または複数の規格に準拠したレンジング・ローディング・パラメータを送信することを含みうる。
【図面の簡単な説明】
【００１３】
本開示の上記した特徴を詳細に理解できる形式のために、上記要約されたより具体的な説明を、その一部が添付図面に示された実施形態を参照することによって行うことができる。しかし、添付図面は、本開示のある種の典型的な実施形態しか示しておらず、これら説明は、他の同等に効果的な実施形態をも可能にすることができ、本開示の範囲を限定するものとは考えられないことに留意されたい。
【図１】図１は、本開示のある実施形態にしたがった、無線通信システムを例示する。
【図２】図２は、本開示のある実施形態にしたがう無線デバイスで利用されうるさまざまな構成要素を例示する。
【図３】図３は、本開示のある実施形態にしたがって、直交周波数分割多重化および直交周波数分割多元接続（ＯＦＤＭ／ＯＦＤＭＡ）技術を利用する無線通信システム内で使用されうる送信機の例と受信機の例を図示する。
【図４】図４は、本開示のある実施形態にしたがう時分割デュプレクス（ＴＤＤ）のためのＯＦＤＭ／ＯＦＤＭＡフレームの例を図示する。
【図５】図５は、本開示のある実施形態にしたがって、同じＢＳおよび／または別のＢＳのレンジング・トラフィック量を移動局（ＭＳ）へ示すための、基地局（ＢＳ）の観点からの動作例のフロー図である。
【図５Ａ】図５Ａは、本開示のある実施形態にしたがって、同じＢＳおよび／または別のＢＳのためのレンジング・トラフィック量を示す図５の動作例に対応する手段のブロック図である。
【図６】図６は、本開示のある実施形態にしたがって、レンジング動作を実行するためのＢＳを選択するための、ＢＳの観点からの動作例のフロー図である。
【図６Ａ】図６Ａは、本開示のある実施形態にしたがって、レンジング動作を実行するためおＢＳを選択する図６の動作例に対応する手段のブロック図である。
【図７】図７は、本開示のある実施形態にしたがって、候補ＢＳから受信したレンジング・ローディング・パラメータを評価した後に、初期レンジングのために、１または複数の候補ＢＳから、ＢＳを選択するためのコール・フローの例を例示する。
【図８】図８は、本開示のある実施形態にしたがって、他のファクタの中でも、候補ＢＳから受信したレンジング・ローディング・パラメータを評価した後に、１または複数の候補ＢＳから、ハンドオーバ・レンジングのためのＢＳを選択するためのコール・フローの例を図示する。
【発明を実施するための形態】
【００１４】
ＩＥＥＥ８０２．１６の下の直交周波数分割多重化（ＯＦＤＭ）および直交周波数分割多元接続（ＯＦＤＭＡ）による無線通信システムは、複数のサブキャリアの周波数の直交性に基づいて、これらシステム内のサービスのために登録された無線デバイス（すなわち、移動局）と通信するために、基地局のネットワークを使用し、例えばマルチパス・フェージングや干渉に対する耐性のような、広帯域無線通信のための多くの技術的な利点を達成するように実現される。各基地局（ＢＳ）は、移動局との間でデータを伝送するラジオ周波数（ＲＦ）信号を送信し、受信する。
【００１５】
ＩＥＥＥ８０２．１６によれば、ネットワーク遅延を判定するために、および、電力および／またはダウンリンク・バースト・プロファイル変更を要求するために、初期化時および定期的にレンジングが実行されうる。例えば、初期レンジング手順は、アイドル・モードからのネットワーク・エントリまたはネットワーク再エントリの間に実行されうる。定期的なレンジング手順は、例えば、ネットワーク遅延、チャネル対干渉および雑音比（ＣＩＮＲ）、およびサービス品質に対する変化を用いて、最新の状態に保つために実行されうる。また、ハンドオーバ・レンジング手順は、ハンドオーバ中に、ターゲットＢＳに対するレンジング中、あるいは、アイドル・モード中に、移動局（ＭＳ）の位置を更新する場合に実行されうる。
【００１６】
本開示のある実施形態は、基地局のレンジング・トラフィック量を、移動局（ＭＳ）へ通知すことと、レンジング・トラフィック・インジケーションに基づいてレンジングを実行するための基地局（ＢＳ）を選択するための方法および装置を提供する。この通知は、例えば、使用可能なレンジング・スロットに対する、使用されたレンジング・スロットの比を示すレンジング・ローディング・ファクタ（ＲＬＦ）のように、近隣ＢＳのための近隣通知（ＭＯＢ＿ＮＢＲ−ＡＤＶ）メッセージのアップリンク・チャネル記述子（ＵＣＤ）において、または、（可能性のある）サービス提供ＢＳのＵＣＤにおいて、新たなＴＶＬ（タイプ長さ値）として送信されたレンジング・ローディング・パラメータによって生じうる。あるレベルの未使用のレンジング・スロットを持つＢＳを選択することによって、ＭＳは、ＢＳとのレンジングの実行を試みる際にＢＳのレンジング・オーバロードをを考慮しない従来のＭＳと比較した場合、レンジング・オーバヘッド（すなわち、レンジング手順のための平均待ち時間）を指数関数的に低減することができる。
【００１７】
本開示のある実施形態は、ＷｉＭＡＸに関して記載されているが、これら実施形態の多くはまた、例えば、ＷｉＭＡＸ以外の２Ｇ（第２世代）、３Ｇ（第３世代）、およびその他のタイプの４Ｇ（第４世代）のような任意の適切な無線規格に適用されうる。
【００１８】
（典型的な無線通信システム）  
本明細書に記載された技術は、直交多重化スキームに基づく通信システムを含むさまざまなブロードバンド無線通信システムのために使用される。そのような通信システムの例は、直交周波数分割多元接続（ＯＦＤＭＡ）システム、シングル・キャリア周波数分割多元接続（ＳＣ−ＦＤＭＡ）システム等を含んでいる。ＯＦＤＭＡシステムは、直交周波数分割多重化（ＯＦＤＭ）を利用する。それは、システム帯域幅全体を、複数の直交サブキャリアへ分割する変調技術である。これらサブキャリアはまた、トーン、ビン等とも称されうる。ＯＦＤＭでは、おのおののサブキャリアは、データと独立して変調される。ＳＣ−ＦＤＭＡシステムは、システム帯域幅にわたって分散されたサブキャリアで送信するインタリーブＦＤＭＡ（ＩＦＤＭＡ）、隣接サブキャリアのブロックで送信するローカライズドＦＤＭＡ（ＬＦＤＭＡ）、あるいは、隣接するサブキャリアの複数のブロックで送信するエンハンストＦＤＭＡ（ＥＦＤＭＡ）を利用する。一般に、変調シンボルは、ＯＦＤＭでは周波数領域で、ＳＣ−ＦＤＭＡでは時間領域で送信される。
【００１９】
直交多重化スキーム基づく通信システムの一例は、ＷｉＭＡＸシステムである。Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓを示すＷｉＭＡＸは、長距離にわたる高スループット・ブロードバンド接続を提供する規格ベースのブロードバンド無線技術である。今日、ＷｉＭＡＸの２つの主要なアプリケーション、すなわち、固定ＷｉＭＡＸとモバイルＷｉＭＡＸとがある。固定ＷｉＭＡＸアプリケーションは、ポイント・トゥ・マルチポイントであり、例えば住宅および会社へのブロードバンド接続を可能にする。モバイルＷｉＭＡＸは、ＯＦＤＭおよびＯＦＤＭＡに基づき、ブロードバンド速度でセルラ・ネットワークの完全なモビリティを提供する。
【００２０】
ＩＥＥＥ  ８０２．１６ｘは、固定式およびモバイルのブロードバンド無線アクセス（ＢＷＡ）システム用のエア・インタフェースを定義するための新生の規格体系である。これら規格は少なくとも４つの異なる物理レイヤ（ＰＨＹ）および１つの媒体アクセス制御（ＭＡＣ）レイヤを定義する。４つの物理レイヤのうちのＯＦＤＭ物理レイヤおよびＯＦＤＭＡ物理レイヤは、それぞれ固定ＢＷＡ領域およびモバイルＢＷＡ領域で最も人気がある。
【００２１】
図１は、無線通信システム１００の例を図示する。この無線通信システム１００は、ブロードバンド無線通信システムとなりうる。無線通信システム１００は、それぞれが基地局１０４によってサービスされる複数のセル１０２に通信を提供することができる。基地局１０４は、ユーザ端末１０６と通信する固定局となりうる。基地局１０４は、代わりに、アクセス・ポイント、ノードＢ、またはその他いくつかの用語で称されうる。
【００２２】
図１は、システム１００全体に散在するさまざまなユーザ端末１０６を示す。ユーザ端末１０６は、固定式（すなわち、据置式）または移動式でありうる。ユーザ端末１０６を、代わりに、遠隔局、アクセス端末、端末、加入者ユニット、移動局、局、ユーザ機器等と称することができる。ユーザ端末１０６は、例えばセルラ電話、携帯情報端末（ＰＤＡ）、ハンドヘルド・デバイス、無線通信モデム、ラップトップ・コンピュータ、パーソナル・コンピュータ（ＰＣ）等のような無線デバイスでありうる。
【００２３】
さまざまなアルゴリズムおよび方法を、無線通信システム１００内で基地局１０４とユーザ端末１０６との間の伝送に使用することができる。例えば、信号を、ＯＦＤＭ／ＯＦＤＭＡ技法に従って基地局１０４とユーザ端末１０６との間で送信し、受信することができる。この場合、無線通信システム１００を、ＯＦＤＭ／ＯＦＤＭＡシステムと称することができる。
【００２４】
基地局１０４からユーザ端末１０６への伝送を容易にする通信リンクは、ダウンリンク１０８と称され、ユーザ端末１０６から基地局１０４への伝送を容易にする通信リンクを、アップリンク１１０と称することができる。あるいは、ダウンリンク１０８を、順方向リンクまたは順方向チャネルと称したり、アップリンク１１０を、逆方向リンクまたは逆方向チャネルと称する場合がある。
【００２５】
セル１０２は、複数のセクタ１１２に分割されうる。セクタ１１２は、セル１０２内の物理有効通信範囲領域である。無線通信システム１００内の基地局１０４は、セル１０２の特定のセクタ１１２内の電力の流れを集中させるアンテナを利用することができる。そのようなアンテナは、指向性アンテナと称されうる。
【００２６】
図２は、無線デバイス２０２において利用されるべきさまざまな構成要素を例示する。無線デバイス２０２は、本明細書で説明されるさまざまな方法を実施するために構成され得るデバイスの例である。無線デバイス２０２は、基地局１０４またはユーザ端末１０６でありうる。
【００２７】
無線デバイス２０２は、無線デバイス２０２の動作を制御するプロセッサ２０４を含みうる。このプロセッサ２０４は、中央制御装置（ＣＰＵ）とも称されうる。読取専用メモリ（ＲＯＭ）とランダム・アクセス・メモリ（ＲＡＭ）との両方を含むことができるメモリ２０６は、プロセッサ２０４に命令およびデータを提供する。メモリ２０６の一部は、不揮発性ランダム・アクセス・メモリ（ＮＶＲＡＭ）を含むこともできる。プロセッサ２０４は、通常、メモリ２０６に格納されたプログラム命令に基づいて、ロジック演算および算術演算を実行する。本明細書で説明される方法を実施するために、メモリ２０６内の命令を実行可能とすることができる。
【００２８】
無線デバイス２０２は、無線デバイス２０２と遠隔位置との間でのデータの送信および受信を可能にする送信機２１０および受信機２１２を含むことができるハウジング２０８をも含みうる。送信機２１０および受信機２１２を、トランシーバ２１４に組み合わせることができる。アンテナ２１６をハウジング２０８に取り付け、トランシーバ２１４に電気的に接続することができる。無線デバイス２０２は、（図示されていない）複数の送信機、複数の受信機、複数のトランシーバ、および／または複数のアンテナを含むこともできる。
【００２９】
無線デバイス２０２は、トランシーバ２１４によって受信された信号を検出し、そのレベルを定量化する目的で使用される信号検出器２１８をも含むことができる。信号検出器２１８は、合計エネルギ、パイロット・サブキャリアからのパイロット・エネルギ、または、プリアンブル・シンボルからの信号エネルギ、電力スペクトル密度、およびその他の信号のような信号を検出しうる。無線デバイス２０２は、信号を処理する際に使用されるデジタル信号プロセッサ（ＤＳＰ）２２０をも含むことができる。
【００３０】
無線デバイス２０２のさまざまな構成要素を、データ・バスのみならず電力バス、制御信号バス、およびステータス信号バスを含むことができるバス・システム２２２によって、ともに結合することができる。
【００３１】
図３に、ＯＦＤＭ／ＯＦＤＭＡを利用する無線通信システム１００内で使用できる送信機３０２の例を示す。送信機３０２の諸部分は、無線デバイス２０２の送信機２１０内に実装されうる。送信機３０２は、ダウンリンク１０８でのユーザ端末１０６へのデータ３０６の伝送のために、基地局１０４内に実装されうる。送信機３０２は、アップリンク１１０での基地局１０４へのデータ３０６の伝送のために、ユーザ端末１０６内に実装されうる。
【００３２】
送信されるデータ３０６は、シリアル・パラレル（Ｓ／Ｐ）コンバータ３０８に入力として提供されるものとして図示されている。Ｓ／Ｐコンバータ３０８は、この送信データをＮ個の並列データ・ストリーム３１０に分割することができる。
【００３３】
Ｎ個の並列データ・ストリーム３１０は次に、マッパ３１２に入力として供給されうる。マッパ３１２は、Ｎ個の並列データ・ストリーム３１０をＮ個のコンステレーション・ポイントにマッピングすることができる。このマッピングは、バイナリ・フェーズ・シフト・キーイング（ＢＰＳＫ）、直交フェーズ・シフト・キーイング（ＱＰＳＫ）、８フェーズ・シフト・キーイング（８ＰＳＫ）、直交振幅変調（ＱＡＭ）等のようなある変調コンステレーションを使用して行うことができる。したがって、マッパ３１２は、Ｎ個の並列シンボル・ストリーム３１６を出力することができ、各シンボル・ストリーム３１６は、逆高速フーリエ変換（ＩＦＦＴ）３２０のＮ個の直交サブキャリアのうちの１つに対応する。これらＮ個の並列シンボル・ストリーム３１６は、周波数領域で表され、ＩＦＦＴ構成要素３２０によってＮ個の並列時間領域サンプル・ストリーム３１８に変換され得る。
【００３４】
命名法に関する短い注釈を以下に示す。周波数領域のＮ個の並列変調は、周波数領域のＮ個の変調シンボルと等しく、これは、周波数領域のＮ個のマッピングおよびＮポイントＩＦＦＴと等しく、これは、時間領域の１つの（有用な）ＯＦＤＭシンボルと等しく、これは、時間領域のＮ個のサンプルと等しい。時間領域の１つのＯＦＤＭシンボルＮｓは、Ｎｃｐ（ＯＦＤＭシンボル毎のガード・サンプルの個数）＋Ｎ（ＯＦＤＭシンボルあたりの有用なサンプルの個数）と等しい。
【００３５】
Ｎ個の並列時間領域サンプル・ストリーム３１８は、パラレル・シリアル（Ｐ／Ｓ）コンバータ３２４によってＯＦＤＭ／ＯＦＤＭＡシンボル・ストリーム３２２に変換されうる。ガード挿入構成要素３２６は、ＯＦＤＭ／ＯＦＤＭＡシンボル・ストリーム３２２内の連続するＯＦＤＭ／ＯＦＤＭＡシンボルの間にガード・インタバルを挿入することができる。次に、ガード挿入構成要素３２６の出力が、ラジオ周波数（ＲＦ）フロント・エンド３２８によって所望の送信周波数帯域にアップコンバートされうる。そして、その結果得られた信号３３２を、アンテナ３３０が送信することができる。
【００３６】
図３はまた、ＯＦＤＭ／ＯＦＤＭＡを利用する無線通信システム１００内で使用されうる受信機３０４の例を例示する。受信機３０４の諸部分は、無線デバイス２０２の受信機２１２内に実装されうる。受信機３０４は、データ３０６をダウンリンク１０８で基地局１０４から受信するためにユーザ端末１０６内に実装されうる。受信機３０４は、データ３０６をアップリンク１１０でユーザ端末１０６から受信するために基地局１０４内に実装されうる。
【００３７】
送信された信号３３２は、無線チャネル３３４を移動して図示されている。信号３３２’がアンテナ３３０’によって受信された場合、受信された信号３３２’は、ＲＦフロント・エンド３２８’によってベースバンド信号にダウンコンバートされうる。次に、ガード除去構成要素３２６’が、ガード挿入構成要素３２６によってＯＦＤＭ／ＯＦＤＭＡシンボルの間に挿入されたガード・インタバルを除去することができる。
【００３８】
ガード除去構成要素３２６’の出力は、Ｓ／Ｐコンバータ３２４’に供給されうる。Ｓ／Ｐコンバータ３２４’は、ＯＦＤＭ／ＯＦＤＭＡシンボル・ストリーム３２２’を、それぞれがＮ個の直交サブキャリアのうちの１つに対応するＮ個の並列時間領域シンボル・ストリーム３１８’に分割することができる。高速フーリエ変換（ＦＦＴ）構成要素３２０’は、Ｎ個の並列時間領域シンボル・ストリーム３１８’を周波数領域に変換し、Ｎ個の並列周波数領域シンボル・ストリーム３１６’を出力することができる。
【００３９】
デマッパ３１２’は、マッパ３１２によって実行されたシンボル・マッピング動作の逆を実行しうる。これによって、Ｎ個の並列なデータ・ストリーム３１０’を出力する。Ｐ／Ｓコンバータ３０８’は、Ｎ個の並列データ・ストリーム３１０’を単一のデータ・ストリーム３０６’に結合することができる。理想的には、このデータ・ストリーム３０６’は、送信機３０２に入力として提供されたデータ３０６に対応する。
【００４０】
（典型的なＯＦＤＭ／ＯＦＤＭＡフレーム）  
図４を参照して、時分割デュプレクス（ＴＤＤ）実施のためのＯＦＤＭ／ＯＦＤＭＡフレーム４００が、典型的な、限定しない例として図示されている。例えばフル・デュプレクスおよびハーフ・デュプレクスの周波数分割デュプレクス（ＦＤＤ）のようなＯＦＤＭ／ＯＦＤＭＡフレームの他の実施も使用されうる。この場合、フレームは、ダウンリンク（ＤＬ）メッセージとアップリンク（ＵＬ）メッセージとの両方が、異なるキャリアによって同時に送信されるという点を除いて同じである。ＴＤＤ実施では、おのおののフレームは、ＤＬ送信とＵＬ送信との衝突を回避するために、小さなガード・インタバル４０６によって分離される、さらに詳しくは、送信／受信ギャップおよび受信／送信ギャップ（ＴＴＧおよびＲＴＧ）によって分離される、ＤＬサブフレーム４０２とＵＬサブフレーム４０４とに分割される。ＤＬ対ＵＬのサブフレーム比は、異なるトラフィック・プロファイルをサポートするために、３：１から１：１へ変動しうる。
【００４１】
ＯＦＤＭ／ＯＦＤＭＡフレーム４００内には、さまざまな制御情報が含まれうる。例えば、フレーム４００の最初のＯＦＤＭ／ＯＦＤＭＡシンボルは、同期のために使用されるいくつかのパイロット信号（パイロット）を含みうるプリアンブル４０８でありうる。プリアンブル４０８内の固定されたパイロット・シーケンスによって、受信機３０４は、周波数誤りおよび位相誤りを推定し、送信機３０２に同期できるようになる。さらに、無線チャネルの推定および等値化のために、プリアンブル４０８内の固定パイロット・シーケンスが利用されうる。プリアンブル４０８は、ＢＰＳＫ変調されたキャリアを含む。これは、一般には、１つのＯＦＤＭシンボルの長さである。プリアンブル４０８のキャリアは、電力が高められており、ＷｉＭＡＸ信号におけるデータ部の周波数領域における電力レベルよりも一般に数デシベル（ｄＢ）（例えば、９ｄＢ）高い。使用されるプリアンブル・キャリアの番号は、ゾーンの３つのセグメントのうちのいずれが使用されているかを示すことができる。例えば、キャリア０、３、６、・・・は、セグメント０が使用されるべきことを示し、キャリア１、４、７、・・・は、セグメント１が使用されるべきことを示し、キャリア２、５、８、・・・は、セグメント２が使用されるべきことを示しうる。
【００４２】
フレーム制御ヘッダ（ＦＣＨ）４１０が、プリアンブル４０８に続く。ＦＣＨ４１０は、例えば使用可能なサブチャネル、変調および符号化スキーム、ならびに、現在のＯＦＤＭ／ＯＦＤＭＡフレームのＭＡＰメッセージ長さのようなフレーム設定情報を提供する。例えば、ダウンリンク・フレーム・プレフィクス（ＤＬＦＰ）４１２のように、フレーム設定情報を概説するデータ構成が、ＦＣＨ４１０にマップされる。
【００４３】
モバイルＷｉＭＡＸのＤＬＥＰ４１２は、ＤＬＥＰ４１２内の合計２４ビットに関し、使用されているサブチャネル（ＳＣＨ）ビットマップの６ビット、０に設定された予約ビット、反復符号化インジケーションのための２ビット、符号化インジケーションのための３ビット、ＭＡＰメッセージ長さのための８ビット、０に設定された予約４ビットを備えうる。ＦＣＨ４１０にマップされる前に、２４ビットのＤＬＦＰが複製されて、４８ビット・ブロックを形成する。これは、最小のフォワード誤り訂正（ＦＥＣ）ブロック・サイズである。
【００４４】
ＦＣＨ４１０に続いて、ＤＬ−ＭＡＰ４１４およびＵＬ−ＭＡＰ４１６が、ＤＬサブフレーム４０２およびＵＬサブフレーム４０４のサブチャネル割当およびその他の制御情報を指定しうる。ＯＦＤＭＡの場合、複数のユーザに、フレーム内のデータ領域が割り当てられ、これら割当は、ＤＬ−ＭＡＰ４１４およびＵＬ−ＭＡＰ４１６において指定されうる。これらＭＡＰメッセージは、特定のリンクにおいて使用される変調および符号化スキームを規定する、おのおのユーザのバースト・プロファイルを含む。ＭＡＰメッセージは、すべてのユーザに届く必要のある重要な情報を含んでいるので、ＤＬ−ＭＡＰ４１４およびＵＬ−ＭＡＰ４１６は、例えばレート１／２符号化および反復符号化を有するＢＰＳＫまたはＱＰＳＫのような非常に信頼性の高いリンクによって送信されうる。ＯＦＤＭ／ＯＦＤＭＡフレームのＤＬサブフレーム４０２は、通信されているダウンリンク・データを含む、さまざまな長さからなるＤＬバーストを含みうる。したがって、ＤＬ−ＭＡＰ４１４は、ダウンリンク・ゾーンに含まれるバーストの位置と、ダウンリンク・バーストの数のみならず、時間（すなわち、シンボル）方向および周波数（すなわち、サブチャネル）方向の両方におけるオフセットおよび長さを記述することができる。
【００４５】
同様に、ＵＬサブフレーム４０４は、通信されているアップリンク・データから構成されるさまざまなビット長さからなるＵＬバーストを含みうる。したがって、ダウンリンク・サブフレーム４０２における最初のバーストとして送信されるＵＬ−ＭＡＰ４１６は、異なるユーザのためのＵＬバーストの位置に関する情報を含みうる。ＵＬサブフレーム４０４は、図４に図示されるような追加の制御情報を含みうる。ＵＬサブフレーム４０４は、ＤＬハイブリッド自動反復要求アクノレッジ（ＨＡＲＱ  ＡＣＫ）をフィード・バックするために移動局（ＭＳ）に割り当てられたＵＬ  ＡＣＫ４１８、および／または、チャネル品質インジケータ・チャネル（ＣＱＩＣＨ）にチャネル状態情報をフィードバックするためにＭＳに割り当てられたＵＬ  ＣＱＩＣＨ４２０を含む。さらに、ＵＬサブフレーム４０４は、ＵＬレンジング・サブチャネル４２２を備えうる。ＵＬレンジング・サブチャネル４２２は、帯域幅要求のみならず、閉ループ時間、周波数、および電力調節を行なうためにＭＳに割り当てられる。要するに、プリアンブル４０８、ＦＣＨ４１０、ＤＬ−ＭＡＰ４１４、およびＵＬ−ＭＡＰ４１６は、受信機３０４が受信信号を正しく復調することを可能にする情報を伝送しうる。
【００４６】
（典型的な潜在的なレンジング・ボトルネック）  
レンジングしている場合、例えばＭＳのようなユーザ端末１０６は、例えば、ＲＮＧ−ＲＥＱメッセージのようなレンジング要求メッセージまたは符号を送信するために、ＵＬレンジング・チャネル、または、ＵＬサブフレーム４０４のその他の適切な部分を使用しうる。ＲＮＧ−ＲＥＱメッセージは、ＭＳがネットワークに加入することを試みる場合、または、ダウンリンク・チャネルを変更している場合、初期レンジング接続識別子（ＣＩＤ）を使用しうる。あるいは、レンジング要求を送信するＭＳを識別する基本ＣＩＤを使用しうる。これに応じて、ＲＮＧ−ＲＥＱを受信するＢＳ１０４は、ＭＳのＭＡＣアドレスまたは基本ＣＩＤを含めることによって、ＭＳへ向けられた対応するレンジング応答（ＲＮＧ−ＲＳＰ）メッセージを返しうる。ＲＮＧ−ＲＳＰメッセージは、調節情報（例えば、時間補正、電力補正、および恐らくは周波数補正）およびステータス通知を含みうる。
【００４７】
ＩＥＥＥ８０２．１６ｅ−２００５規格にしたがうＯＦＤＭＡベースのレンジングの場合、ＭＳは、レンジング・スロットおよびレンジング符号をランダムに選択しうる。ＯＦＤＭＡベースのレンジングのレンジング・スロットは、ＲＮＧ−ＲＥＱメッセージのためのコンテンション・スロットの代わりに、この目的のために特化されたＵＬ割当内に存在しうる。レンジングのための送信機会（ＴＯ）を持つＵＬ−ＭＡＰ４１６の復号後、ＭＳは、ＢＳ１０４へ、符号分割多元接続（ＣＤＭＡ）符号として、レンジング符号を送信しうる。ＢＳ１０４は、どのＭＳがＣＤＭＡレンジング符号を送信したのかを区別できないので、ＢＳは、ＣＤＭＡレンジング符号が識別された（ＯＦＤＭＡシンボル番号、サブチャネル、フレーム番号等のような）レンジング・スロットのみならず、受信したレンジング符号を通知するＲＮＧ−ＲＳＰメッセージをブロードキャストしうる。この情報は、特定のＭＳのレンジング要求に対応するＲＮＧ−ＲＳＰメッセージを識別するために、ＣＭＤＡ符号を送信したＭＳによって使用される。ＢＳ１０４がＣＤＭＡ符号を受信し、その結果、ＲＮＧ−ＲＳＰメッセージを成功状態で送信すると、ＢＳは、ＣＤＭＡ＿Ａｌｌｏｃａｔｉｏｎ＿ＩＥを使用して、ＭＳに帯域幅割当を提供する。ＭＳが、ＣＤＭＡ＿Ａｌｌｏｃａｔｉｏｎ＿ＩＥを備えたＵＬ−ＭＡＰ４１６を受信すると、ＭＳは、割当情報要素（ＩＥ）にしたがって割り当てられた帯域幅を用いて、上述したようにしてＲＮＧ−ＲＥＱメッセージを送信しうる。このレンジング処理は、有効な基本ＣＩＤを含むＲＮＧ−ＲＳＰメッセージをＭＳが受信した後に終了しうる。
【００４８】
タイムアウトＴ３（ＩＥＥＥ８０２．１６ｅ−２００５規格ではＴ３＝２００ミリ秒）後に、ＲＮＧ−ＲＳＰメッセージがＭＳによって受信されない場合、ＭＳは、ランダム・バックオフを実行し、ＣＤＭＡレンジング符号を送信するための電力レベルを調節し、その後、別の送信機会（ＴＯ）がレンジング要求を再送信するのを待つ。複数のＭＳからのＣＤＭＡ符号が衝突するか、あるいは、ＢＳ１０４によって正しく受信されないので、タイムアウトＴ３となりうる。バックオフ手順に至るこのような衝突は、一般に、同時にレンジングの実行を試みる多くの移動局で混み合っている領域において生じうる。例えば、このようなレンジング混雑は、大きなスタジアムやその他のスポーツ・アリーナにおいて、多くのモバイル・ユーザが同時にコールすることを試みるイベント休憩時間中（例えば、フットボールの試合のハーフタイム）に生じうる。この混雑は、通常用途における一時的な例外を表すので、ネットワーク・オペレータは一般に、この短時間の需要を満たすために、このような領域の近くで多くの数のＢＳを展開しない。
【００４９】
その結果、ＭＳのすべては、このイベント・サイトに最も近い１つのＢＳに集中しており、ＢＳ１０４は、同じＯＦＤＭ／ＯＦＤＭＡフレーム４００内の複数のＭＳにサービス提供するが、許容されたレンジング要求の数は、このフレームの送信機会によって制限される。モバイル・ユーザがかなりの数あることによって、多くのリトライがあった後でさえも、ＭＳの多くは、最も近いＢＳにキャンプするのに失敗するであろう。そして、このＢＳにキャンプすることに失敗するＭＳのほとんどは、このようなＭＳが、自己のコンテンション・レンジング・リトライ制限に達するまで、他のＢＳとのレンジングを試みることができない。ＷｉＭＡＸでは、これは、ＭＳが、別のＢＳとのレンジングの実行を試みる前に、１６のＴ３タイムアウト値、または、３秒以上（１６＊２００ミリ秒＝３．２秒）を待たねばならないことを示す。
【００５０】
同時に同じＢＳとのレンジングの実行を試みるＭＳの数が多くなると、同じＢＳ上で正しくレンジングを完了するための平均待ち時間が長くなる。実際、これは、ポアソン分布理論にしたがっている。平均待ち時間は、ポアソン分布理論にしたがい、レンジング・トラフィックとともに指数関数的に増加する。
【００５１】
したがって、ＭＳに、現在のレンジング・トラフィック、および／または、ＢＳ１０４のレンジング・オーバロード条件を通知することが望ましい。このように、ＭＳは、レンジングを実行するためにオーバロードされていないＢＳを選択するために、レンジング・トラフィック情報を用いるオプションを有しうる。これによって、レンジング・オーバヘッド（すなわち、レインジング中の平均待ち時間）を低減する。本開示のある実施形態は、この目的を達成するために、特定のＢＳのレンジング・ローディングを示すブロードキャスト・レンジング・ローディング・パラメータ（および、恐らくは、１または複数の近隣ＢＳのレンジング・ローディング・パラメータ）を利用しうる。
【００５２】
（レンジング・ローディングに基づくレンジングのための典型的なＢＳ選択）  
図５は、同じＢＳおよび／または別のＢＳのレンジング・トラフィック量をＭＳへ示すためのＢＳ１０４の観点からの動作５００の例のフロー図である。動作５００は、同じＢＳおよび／または別のＢＳでありうるＢＳのレンジング・トラフィック量を判定することによって、５１０で始まる。例えば、サービス提供ＢＳは、５１０において、１または複数のＢＳのためのレンジング・トラフィック量、および／または、自己のレンジング・トラフィック量を判定しうる。ある実施形態の場合、判定されたレンジング・トラフィックは、瞬時的なレンジング・トラフィックでありうる。
【００５３】
５１０において、ＢＳのレンジング・トラフィック量を判定するために、ＢＳは、このＢＳのために使用可能なレンジング・スロット数と、現在使用されているレンジング・スロット数とを判定しうる。いくつかの実施形態では、ＢＳは、例えば、使用可能なレンジング・スロット数から、使用されているレンジング・スロット数を引くことによって、未使用のレンジング・スロット数を判定しうる。ＢＳは、例えば、レンジング・ローディング・ファクタ（ＲＬＦ）のように、レンジング・トラフィック量を示すレンジング・ローディング・ファクタを判定しうる。ＲＬＦは、所与のレンジング・タイプのために使用可能なレンジング・スロット数によって除された、使用されているレンジング・スロット（例えば、使用可能な初期レンジング・スロットによって除された、使用されている初期レンジング・スロット）の数として定義されうる。ＲＬＦは、瞬時的のために、あるいは、観察期間にわたって定義されうる。ＲＬＦは、除数、パーセンテージ、分数、比、またはその他任意の適切な比較手段の１０進数結果として表現されうる。いくつかの実施形態の場合、ＢＳは、自己のレンジング領域のおのおののＲＬＦを判定しうる。ある実施形態では、第１のＢＳが、第２のＢＳのレンジング・トラフィック量を判定する場合、ネットワークは、例えば、ネットワーク・バックボーンで、第２のＢＳの（例えば、ＲＬＦとして表された）レンジング・トラフィック情報を第１のＢＳへ提供しうる。
【００５４】
５２０では、ＢＳ１０４は、同じＢＳおよび／または別のＢＳのレンジング・トラフィック量を示すために、レンジング・ローディング・パラメータ（例えば、ＲＬＦ、レンジング領域毎のＲＬＦ、未使用のレンジング・スロット数、あるいは、除数やパーセンテージや分数や比等の１０進数結果として表される使用可能なレンジング・スロット数によって除された未使用のレンジング・スロット数）を送信しうる。例えば、レンジング・ローディング・パラメータのための新たなＴＬＶ（タイプ長さ値）フィールドが、アップリンク・チャネル記述子（ＵＣＤ）に導入されうる。これは、ＢＳ１０４によってブロードキャストされる。レンジング・ローディング・パラメータをＵＣＤに含めることによって、ＦＣＨ４１０、ＤＬ−ＭＡＰ４１４、ＵＬ−ＭＡＰ４１６、ダウンリンク・チャネル記述子（ＤＣＤ）、およびＵＣＤを復号しうるＭＳは、ＢＳからレンジング・トラフィック情報を受信することができる。いくつかの実施形態の場合、ＢＳ１０４は、ＢＳがレンジング・オーバロードの場合にしかレンジング・ローディング・パラメータを送信しないが、その他の時には、ＵＣＤにレンジング・ローディング・パラメータを含めない。
【００５５】
さらに、１または複数の近隣ＢＳのＵＣＤ（単数または複数）が、ネットワーク・バックボーンに沿ってＢＳへ送信されうる。レンジング・ローディング・パラメータが、近隣ＢＳ（単数または複数）のＵＣＤ（単数または複数）に含まれている場合、ＢＳ１０４は、ＵＣＤ（単数または複数）を含む近隣通知（ＭＯＢ＿ＮＢＲ−ＡＤＶ）メッセージで、近隣ＢＳ（単数または複数）のためのレンジング・ローディング・パラメータ（単数または複数）を送信しうる。ＭＯＢ＿ＮＢＲ−ＡＤＶメッセージは、ネットワークの識別、および、初期ネットワーク・エントリまたはハンドオーバを求める可能性のあるＭＳに対する近隣ＢＳの特性の定義のために使用される。このように、５２０では、特定のＢＳのレンジング・ローディング・パラメータ（単数または複数）、および、１または複数の近隣ＢＳ（単数または複数）のレンジング・ローディング・パラメータ（単数または複数）が、送信されうる。
【００５６】
５３０では、例えば、この特定のＢＳ（およびレンジング領域）のためのＲＬＦが、しきい値を下回った場合（すなわち、このＢＳが、レンジングの観点からオーバロードしておらず、少なくとも一定数の、または、一定のパーセンテージの使用可能なレンジング・スロットを有している場合）、５２０においてレンジング・ローディング・パラメータ（単数または複数）を送信したＢＳ１０４が、レンジング要求を受信しうる。本開示のある実施形態にしたがうしきい値およびレンジング要求が、以下により詳細に記載される。
【００５７】
図６は、本開示のある実施形態にしたがって、レンジング動作を実行するためのＢＳ１０４を選択するための、ＭＳの観点からの動作６００の例を示すフロー図である。動作６００は、受信したＯＦＤＭ／ＯＦＤＭＡフレーム４００のＦＣＨ４１０、ＤＬ−ＭＡＰ４１４、ＤＣＤ、ＵＬ−ＭＡＰ４１６、およびＵＣＤを復号することができたと仮定する。動作６００は、６１０において、１または複数の候補ＢＳのためのレンジング・トラフィック量を示す１または複数のレンジング・ローディング・パラメータを受信することによって開始する。例えば、ＭＳは、サービス提供ＢＳのＵＣＤで、未使用のレンジング・スロット数またはＲＬＦを受信しうる。ある実施形態の場合、ＭＳはまた、１または複数の近隣ＢＳのＵＣＤ（単数または複数）内に、ＲＬＦ（単数または複数）またはその他のレンジング・ローディング・パラメータ（単数または複数）を含むＭＯＢ＿ＮＢＲ−ＡＤＶメッセージを受信しうる。
【００５８】
６２０では、ＭＳは、候補ＢＳからレンジングを実行するＢＳを選択しうる。この選択は、６１０において受信されたレンジング・ローディング・パラメータに少なくとも部分的に基づきうる。例えば、ＭＳは、サービス提供ＢＳ（およびレンジング領域）のＲＬＦを、予め定めたしきい値と比較しうる。サービス提供ＢＳのＲＬＦが、しきい値未満である場合（すなわち、サービス提供ＢＳがレンジング・オーバロードではない場合）、ＭＳは、レンジングのために、サービス提供ＢＳを選択しうる。しかしながら、サービス提供ＢＳのＲＬＦが、しきい値以上である場合（すなわち、サービス提供ＢＳがオーバロードである場合）、ＭＳは、レンジングのために近隣ＢＳ、恐らくは、最も低いＲＬＦを持つ近隣ＢＳを選択しうる。ある実施形態の場合、ＭＳは、レンジングを実行するために、候補ＢＳから、最良のレンジング・ローディング・パラメタータ（例えば、最も低いＲＬＦ）を有するＢＳ（およびレンジング領域）を選択しうる。他の実施形態の場合、ＭＳは、レンジングのためのＢＳを選択する場合、レンジング・ローディング・パラメータに加えて、例えば、チャネル対干渉および雑音比（ＣＩＮＲ）、サービス品質（ＱｏＳ）、受信信号強度インジケーション（ＲＳＳＩ）、往復遅延（ＲＴＤ）、スケジューリング・サービス・サポート、使用可能なリソースのような１または複数のその他のパラメータの任意の組み合わせを考慮しうる。これらのパラメータのおのおのは、ＭＳの選択処理において、異なる重みを有しうる。
【００５９】
６３０では、ＭＳは、６２０において選択されたＢＳとレンジング動作を実行しうる。例えば、ＭＳは、ＲＮＧ−ＲＥＱメッセージを送信しうる。あるいは、ＯＦＤＭＡ  ＰＨＹの場合、レンジング手順を開始するために、選択されたＢＳへＣＤＭＡレンジング符号を送信しうる。図５で例示されるように、ＭＳへレンジング・ローディング・パラメータ（単数または複数）を送信したＢＳは、もしも送信元のＢＳが６２０において選択されたＢＳである場合、５３０においてレンジング要求を受信しうる。レンジング動作は、上述したように進行する。
【００６０】
上述したように、レンジング・ローディング・パラメータを用いて、レンジングを実行するためのＢＳを選択することによって、ＭＳは、適切な数の未使用のレンジング・スロットを持つＢＳとのレンジングを開始するか、あるいは、レンジング・オーバロードＢＳから、さほど混雑していないＢＳへ切り替えることができる。このように、レンジング手順で費やされた平均待ち時間（すなわち、レンジング・オーバヘッド）は、ポアソン分布理論にしたがって指数関数的に減少しうる。
【００６１】
さらに、混在したＢＳとのレンジングを実行することを試みる場合に実行され、一般に、レンジング要求の送信電力における増加に関連付けられたランダム・バックオフ・アルゴリズム数は、同様に、指数関数的に減少しうる。レンジング要求送信電力における増加は、移動局のバッテリ電力量を大いに消費するだろう。したがって、本開示のある実施形態にしたがって、レンジングのためのＢＳを選択するためにレンジング・ローディング・パラメータを利用するＭＳは、従来のＭＳよりもバッテリ電力をさほど消費しない。
【００６２】
例えばレガシーＭＳのように、ＵＣＤにおけるレンジング・ローディング・パラメータを認識しないＭＳは、これを無視しうる。この場合、ＭＳは、ＢＳ（単数または複数）のレンジング・トラフィック情報を考慮することなく、従来の方法にしたがって、レンジングを実行するためのＢＳを選択しうる。
【００６３】
（レンジング・ローディングを利用する典型的な初期レンジング）  
ここでは、一般に、レンジングために、ＭＳによって受信されたレンジング・ローディング・パラメータ（単数または複数）に基づいてレンジングのためのＢＳを選択することが記載されたが、以下では、レンジング・ローディング・パラメータ（単数または複数）がどのように利用されるかをさらに例示するために、異なるタイプのレンジングに関してＢＳを選択することが、より詳細に記載される。
【００６４】
図７は、候補ＢＳから受信したレンジング・ローディング・パラメータを評価した後に、初期レンジングのために、１または複数の候補ＢＳからＢＳを選択するためのコール・フロー７００の例を例示する。初期レンジングの前、例えば、図示されたＭＳのようなユーザ端末１０６は、ＭＳが通信する可能性のあるＢＳのすべてを識別するために、電力スキャンを実行しうる。これら可能性のあるＢＳから、ＭＳは、ネットワーク・エントリを取得するか、あるいは、可能性のある別のサービス提供ＢＳを選択するまで、キャンプする可能性のあるサービスＢＳとして、ＢＳ（例えばＢＳ１）を選択しうる。ＭＳは、ＯＦＤＭ／ＯＦＤＭＡフレーム４００のプリアンブル４０８を用いてＢＳ１と同期し、７０２において、ＢＳ１がレンジングのために適切なＢＳであるかを識別するために、ＢＳ１から、ＦＣＨ４１０、ＤＬ−ＭＡＰ４１４、ＤＣＤ、ＵＬ−ＭＡＰ４１６、およびＵＣＤを含むＯＦＤＭ／ＯＦＤＭＡシンボルを復号することを試みる。ＭＳが、所与の時間において、ＦＣＨ４１０、ＤＬ−ＭＡＰ４１４、ＤＣＤ、ＵＬ−ＭＡＰ４１６、およびＵＣＤを復号することに失敗した場合、ＭＳは、可能性のある新たなサービス提供ＢＳとして、別のＢＳへ切り換わることを考慮しうる。ＭＳが、可能性のあるサービス提供ＢＳ（例えばＢＳ１）からのメッセージを復号した後、ＭＳは、７０４において、近隣ＢＳ情報を取得するため、または、スペクトル・スキャン処理から近隣ＢＳ情報を確認するために、ブロードキャスト管理チャネルおよびプライマリ管理チャネルからのＭＯＢ＿ＮＢＲ−ＡＤＶメッセージを復号しうる。
【００６５】
７０２で送信されたＵＣＤは、１または複数の送信機会、チャネル情報、プリアンブル信号、および、ＢＳ１のための瞬時的なレンジング・トラフィックを示すレンジング・ローディング・パラメータ（例えば、上述したようなＲＬＦ）を含みうる。７０４においてＢＳ１によって送信されたＭＯＢ＿ＮＢＲ−ＡＤＶメッセージは、例えばＢＳ２のように、レンジングに適切な１または複数の近隣ＢＳのための瞬時的なレンジング・トラフィックを示すレンジング・ローディング・パラメータ（単数または複数）を含みうる。
【００６６】
７０６では、ＭＳは、ＵＣＤに含まれるレンジング・ローディング・パラメータに基づいて、キャンピングＢＳ（例えばＢＳ１）が、レンジングに関してオーバロードしているかを判定しうる。例えば、ＢＳ１のＲＬＦが、２つの連続したＵＣＤ時間フレームについて、しきい値を上回っている場合、ＭＳは、ＢＳ１がレンジング・オーバロードであるかを判定しうる。
【００６７】
ＢＳ１が７０６においてレンジング・オーバロードではない場合（すなわち、ＲＬＦが、しきい値未満である場合）、ＭＳは、７０８において、ＢＳ１に初期レンジングを実行しうる。例えば、ＯＦＤＭＡベースのレンジングの場合、ＭＳは、７１０において送信されたＵＬ−ＭＡＰ４１６でＢＳ１のレンジング・スロットを、ＵＣＤでＢＳ１のレンジング・パラメータを受信しうる。ＭＳは、７１２において、ＣＤＭＡ初期レンジング符号をＢＳ１へ送信しうる。７１４では、これに応答して、ＢＳ１が、ＣＤＭＡ初期レンジング符号が識別されたレンジング・スロット（ＯＦＤＭＡシンボル番号、サブチャネル、フレーム番号等）のみならず、受信したＯＦＤＭＡ符号を通知するＲＮＧ−ＲＳＰメッセージをブロードキャストしうる。残りのＯＦＤＭＡベースのレンジング手順は、上述したように進行する。
【００６８】
しかしながら、ＢＳ１が７０６においてレンジング・オーバロードした場合、ＭＳがＢＳ１との初期レンジングを試み続けることを決定すると、ＭＳは長い平均待ち時間を被る。したがって、ＭＳは、７１６において、より良好なレンジング・ローディング・パラメータ（例えば、より低いＲＬＦ）を持つ近隣ＢＳ（例えばＢＳ２）のように、レンジングに適切な近隣ＢＳを選択することを決定する。ある実施形態の場合、ＭＳは、最良のレンジング・ローディング・パラメータ（例えば、最も低いＲＬＦ）を持つ近隣ＢＳを、可能性のある新たなサービス提供ＢＳとして選択しうる。
【００６９】
７１８では、ＭＳは、キャンピングＢＳ（例えば、ＢＳ１）を出た後、可能性のある新たなサービス提供ＢＳ（例えばＢＳ２）に初期レンジングを実行し、可能性のある新たなサービス提供ＢＳとの同期を実行する。ＯＦＤＭＡベースのレンジングの場合、例えば、ＭＳは、７２０において送信されたＵＬ−ＭＡＰ４１６でＢＳ２のレンジング・スロットを、ＵＣＤでＢＳ２のレンジング・パラメータを受信しうる。ＭＳは、７２２において、ＣＤＭＡ初期レンジング符号を、ＢＳ２へ送信しうる。これに応答して、７２４では、ＢＳ２が、ＣＤＭＡ初期レンジング符号が識別されたレンジング・スロットのみならず、受信したＣＤＭＡ符号を通知するＲＮＧ−ＲＳＰメッセージをブロードキャストしうる。残りのＯＦＤＭＡベースのレンジング手順は、上述したように進行する。  
（レンジング・ローディングを利用する典型的なハンドオーバ・レンジング）
さまざまな理由で、１つの基地局から別の基地局へと通信サービス（例えば、進行中のコールまたはデータ・セッション）を転送するために、１つの基地局によってカバーされたエリアから移動し、別の基地局によってカバーされたエリアへ入る移動局のような（ハンドオフとしても知られている）ハンドオーバが実行されうる。
【００７０】
図８は、本開示のある実施形態にしたがって、候補ＢＳから受信した、とりわけ、レンジング・ローディング・パラメータを評価した後に、ハンドオーバ・レンジングために、１または複数の候補ＢＳからＢＳを選択するためのコール・フロー８００の例を例示する。コール・フロー８００では、ＢＳ１は、例えば図示されたＭＳのように、ユーザ端末１０６のためのサービス提供ＢＳである。８０２では、ＢＳ１は、１または複数の近隣ＢＳのためのレンジング・ローディング・パラメータ（単数または複数）を備えるＭＯＢ＿ＮＢＲ−ＡＤＶメッセージを送信しうる。レンジング・ローディング・パラメータ（単数または複数）は、ＭＯＢ＿ＮＢＲ−ＡＤＶメッセージに含まれる近隣ＢＳのためのＵＣＤ（単数または複数）に含まれうる。
【００７１】
８０４では、ＭＳは、近隣ＢＳのうちのどれが、ハンドオーバのために最も適しているかを判定しうる。例えば、ＭＳは、近隣ＢＳ２が近隣ＢＳ３よりもより適切であると判定しうる。また、その逆もありうる。ハンドオーバに最も適切な近隣ＢＳを判定する際に、ＭＳは、ハンドオーバ・レンジングのためのＢＳを選択する場合、レンジング・ローディング・パラメータに加えて、例えばチャネル対干渉および雑音比（ＣＩＮＲ）またはサービス品質（ＱｏＳ）のような１または複数のその他のパラメータを考慮しうる。これらのパラメータのおのおのは、ＭＳの選択処理において、異なる重みを保持しうる。例えば、ＭＳは、比較的悪いＣＩＮＲおよび良好なレンジング・ローディング・パラメータを持つＢＳよりも、より良好なＣＩＮＲおよび悪いレンジング・ローディング・パラメータを持つＢＳを選択しうる。
【００７２】
図８に示す２つの近隣ＢＳの場合、ハンドオーバのために、ＢＳ２がＢＳ３よりもより適切なＢＳであれば、ＭＳは、８０６において、通常ハンドオーバ（ＨＯ）レンジング手順を実行しうる。ＯＦＤＭＡベースのレンジングの場合、例えば、ＭＳは、８０８において、送信されたＵＬ−ＭＡＰ４１６でＢＳ２のレンジング・スロットと、ＵＣＤでＢＳ２のレンジング・パラメータとを受信しうる。ＭＳは、８１０において、ハンドオーバ・レンジング領域から選択されたＣＤＭＡ  ＨＯレンジング符号を送信しうる。これに応答して、８１２では、ＢＳ２が、ＣＤＭＡ  ＨＯレンジング符号が識別されたレンジング・スロット（ＯＦＤＭシンボル番号、サブチャネル、フレーム番号等）のみならず、受信したＣＤＭＡ符号を通知するＲＮＧ−ＲＳＰメッセージをブロードキャストしうる。残りのＯＦＤＭＡベースのレンジング手順は、上述したように進行する。
【００７３】
しかしながら、ハンドオーバのために、ＢＳ３がＢＳ２よりもより適切なＢＳであれば、ＭＳは、８１４において、ＢＳ３で通常のＨＯレンジング手順を実行しうる。ＯＦＤＭＡベースのレンジングの場合、例えば、ＭＳは、８１６において、送信されたＵＬ−ＭＡＰ４１６でＢＳ３のレンジング・スロットを、ＵＣＤでＢＳ３のレンジング・パラメータを受信しうる。ＭＳは、８１８において、ＣＤＭＡ  ＨＯレンジング符号をＢＳ３へ送信しうる。これに応答して、８２０では、ＢＳ３が、ＣＤＭＡ  ＨＯレンジング符号が識別されたレンジング・スロット（ＯＦＤＭＡシンボル番号、サブチャネル、フレーム番号等）のみならず、受信したＣＤＭＡ符号も通知するＲＮＧ−ＲＳＰメッセージをブロードキャストしうる。残りのＯＦＤＭＡベースのレンジング手順は、上述したように進行する。
【００７４】
（レンジング・ローディングを利用する典型的な定期的なレンジング）  
ＭＳは、ネットワーク遅延および／またはＣＩＮＲにおける変化を用いて、最新の状態を保つために定期的なレンジングを実行しうる。ＭＳは、レンジング・ローディング・ファクタを含む現在のサービス提供ＢＳのＵＣＤを連続的に受信しうる。ＭＳがＵＣＤを復号し、レンジング・ローディング・ファクタが、ＭＳに許容可能である限り、ＭＳは、サービス提供ＢＳと定期的なレンジングを実行し続ける。しかしながら、ＭＳが現在のサービス提供ＢＳとの定期的なレンジング手順を実行することに失敗した場合、あるいは、サービス提供ＢＳからのレンジング・ローディング・パラメータが、ＭＳに許容できなくなった場合、ＭＳは、早期のＯＦＤＭ／ＯＦＤＭＡフレームにおいて、サービス提供ＢＳから受信したＭＯＢ＿ＮＢＲ−ＡＤＶメッセージを考慮しうる。このＭＯＢ＿ＮＢＲ−ＡＤＶメッセージは、各近隣ＢＳのレンジング・ローディング・パラメータを含みうる。この情報から、ＭＳは、例えば、ハンドオーバのための適切な近隣ＢＳを判定する際に、レンジング・ローディング・パラメータを考慮して、図８に関して上述したようなハンドオーバ・レンジングを実行する。
【００７５】
（レンジング・ローディングを利用した典型的なアイドル・モード・レンジング）  
さらに、ＭＳは、アイドル・モードにある場合、レンジングを実行しうる。アイドル・モード・レンジングには、２つのタイプ、すなわち、ネットワーク・エントリおよびロケーション・アップデートがある。ネットワーク・エントリの場合、ＭＳは、例えば、ＭＳがアイドル・モードに入る前に受信したＭＯＢ＿ＮＢＲ−ＡＤＶメッセージからＭＳがすでに近隣ＢＳリストを取得したことを除いて、図７に関し、上述したような初期レンジング手順を実行しうる。アイドル・モード中におけるロケーション更新のために、ＭＳは、例えば、図８に関して上述したようなハンドオーバ・レンジング手順を実行しうる。
【００７６】
（要約）  
上述した方法は、サービス提供ＢＳおよび潜在的には１または複数の近隣ＢＳのためのレンジング・トラフィック量を示すレンジング・ローディング・パラメータをＭＳに通知するためのネットワーク支援されたスキームを提供する。このように、ＭＳは、ある数またはパーセンテージの未使用のレンジング・スロットを有するＢＳとレンジングを実行することを試み、これによって、ＢＳはほとんど確実に、ＭＳのための未使用のレンジング・スロットを有するようになる。これによって、レンジング手順中の平均待ち時間が低減する。さらに、レンジング中のＭＳのバッテリ消費もまた低減されうる。
【００７７】
前述された方法のさまざまな動作は、図面に例示されたようなｍｅａｎｓ−ｐｌｕｓ−ｆｕｎｃｉｔｏｎブロックに対応するさまざまなハードウェアおよび／またはソフトウェア構成要素（単数または複数）および／またはモジュール（単数または複数）によって実行されうる。一般に、対応するｍｅａｎｓ−ｐｌｕｓ−ｆｕｎｃｉｔｏｎ図面を有する図面に例示された方法が存在する場合、動作ブロックは、同一番号が付されたｍｅａｎｓ−ｐｌｕｓ−ｆｕｎｃｉｔｏｎブロックに対応する。例えば、図５に例示されるブロック５１０−５３０は、図５Ａに例示されたｍｅａｎｓ−ｐｕｌｓ−ｆｕｎｃｔｉｏｎブロック５１０Ａ−５３０Ａに対応し、図６に例示するブロック６１０−６３０は、図６Ａに例示されたｍｅａｎｓ−ｐｕｌｓ−ｆｕｎｃｔｉｏｎブロック６１０Ａ−６３０Ａに対応する。
【００７８】
本明細書で使用される場合、用語「判定すること（ｄｅｔｅｒｍｉｎｉｎｇ）」は、さまざまな動作を含む。例えば、「判定すること」は、計算、コンピューティング、処理、導出、調査、ルックアップ（例えば、テーブル、データベース、または他のデータ構造内のルックアップ）、確認等を含むことができる。また、「判定すること」は、受信（例えば、情報の受信）、アクセス（例えば、メモリ内のデータへのアクセス）等を含むことができる。また、「判定すること」は、解決、選択、選定、確立等を含むことができる。
【００７９】
情報および信号を、さまざまな異なる技術および技法のいずれかを使用して表すことができる。例えば、上記を通じて参照されうるデータ、命令群、コマンド、情報、信号等は、電圧、電流、電磁波、磁場または磁気粒子、光場または光学粒子、またはこれら任意の組み合わせによって表されうる。
【００８０】
本開示に関連して説明されたさまざまな例示的な論理ブロック、モジュール、および回路を、汎用プロセッサ、デジタル信号プロセッサ（ＤＳＰ）、特定用途向け集積回路（ＡＳＩＣ）、フィールド・プログラマブル・ゲートアレイ信号（ＦＰＧＡ）もしくはその他のプログラマブル論理デバイス（ＰＬＤ）、ディスクリート・ゲートもしくはトランジスタ・ロジック、ディスクリート・ハードウェア構成要素、または本明細書で説明される機能を実行するように設計されたその任意の組み合わせを用いて実施または実行することができる。汎用プロセッサは、マイクロプロセッサとすることができるが、代替案では、プロセッサを、任意の市販のプロセッサ、コントローラ、マイクロコントローラ、または順序回路とすることができる。プロセッサは、例えばＤＳＰとマイクロプロセッサとの組み合わせ、複数のマイクロプロセッサ、ＤＳＰコアと連携する１または複数のマイクロプロセッサ、またはその他任意のこのような構成である計算デバイスの組み合わせとして実現することも可能である。
【００８１】
本開示に関連して説明された方法またはアルゴリズムのステップを、ハードウェアで直接的に、１または複数のプロセッサによって実行されるソフトウェア・モジュールによって、またはこの２つの組合せによって実施することができる。ソフトウェア・モジュールは、当該技術分野において周知のすべての形式の記憶媒体に常駐することができる。使用できる記憶媒体のいくつかの例は、ランダム・アクセス・メモリ（ＲＡＭ）、読取専用メモリ（ＲＯＭ）、フラッシュメモリ、ＥＰＲＯＭメモリ、ＥＥＰＲＯＭメモリ、レジスタ、ハードディスク、リムーバブル・ディスク、ＣＤ−ＲＯＭなどを含む。ソフトウェア・モジュールは、単一の命令または複数の命令を備えることができ、複数の異なるコード・セグメント上で、異なるプログラムの間で、および複数の記憶媒体にまたがって分散させることができる。記憶媒体を、プロセッサが記憶媒体から情報を読み取り、記憶媒体に情報を書き込めるように、プロセッサに結合することができる。あるいは、この記憶媒体は、プロセッサに統合されうる。
【００８２】
本明細書で開示された方法は、説明された方法を達成するための１または複数のステップまたは動作を備える。方法ステップおよび／または動作は、特許請求の範囲のスコープから逸脱せずに相互に置換することができる。言い換えると、ステップまたは動作の特定の順序が指定されていない限り、特定のステップおよび／または動作の順序および／または使用は、特許請求の範囲のスコープから逸脱せずに変更されうる。
【００８３】
記述された機能は、ハードウェア、ソフトウェア、ファームウェア、またはこれらの任意の組み合わせによって実現されうる。ソフトウェアで実現される場合、これら機能は、コンピュータ読取可能媒体に、１または複数の命令群として格納される。記憶媒体は、コンピュータによってアクセスされうる使用可能な任意の媒体である。例として、限定することなく、このようなコンピュータ読取可能媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶デバイス、あるいは、所望のプログラム・コード手段を命令群またはデータ構造の形式で搬送または格納するために使用され、しかも、コンピュータによってアクセスされうるその他任意の媒体を備えうる。本明細書で使用されるディスク（ｄｉｓｋおよびｄｉｓｃ）は、コンパクト・ディスク（ＣＤ）（ｄｉｓｃ）、レーザ・ディスク（ｄｉｓｃ）、光ディスク（ｄｉｓｃ）、ディジタル・バーサタイル・ディスク（ＤＶＤ）（ｄｉｓｃ）、フロッピー（登録商標）ディスク（ｄｉｓｋ）およびブルー・レイ（登録商標）ディスク（ｄｉｓｃ）を含んでいる。ここで、ｄｉｓｋは、通常、データを磁気的に再生する一方、ｄｉｓｃは、データをレーザを用いて光学的に再生する。
【００８４】
ソフトウェアまたは命令群は、送信媒体を介しても送信される。例えば、同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。
【００８５】
さらに、本明細書で説明される方法および技法を実行するためのモジュールおよび／または他の適切な手段を、適宜、ユーザ端末および／または基地局によってダウンロードし、かつ／または他の形式で入手することができることを了解されたい。例えば、そのようなデバイスを、本明細書で説明した方法を実行するための手段の転送を容易にするためにサーバに結合することができる。代替案では、本明細書で説明されるさまざまな方法を、記憶手段（例えば、ＲＡＭ、ＲＯＭ、コンパクト・ディスク（ＣＤ）またはフロッピー・ディスクなどの物理記憶媒体など）を介して提供することができ、ユーザ端末および／または基地局が、記憶手段をデバイスに結合するか提供するときにさまざまな方法を入手することができる。さらに、本明細書で説明された方法および技法をデバイスに提供するために、その他任意の適切な技法を利用することができる。
【００８６】
特許請求の範囲は、前述した正確な構成および構成要素に限定されないことを理解されたい。さまざまな修正、変更、および変形を、特許請求の範囲の範囲から逸脱せずに、前述した方法および装置の構成、動作、および詳細において実施することができる。
以下に本願発明の当初の特許請求の範囲に記載された発明を付記する。
［Ｃ１］
移動局によって、レンジング動作を実行するための基地局（ＢＳ）を選択する方法であって、
１または複数の候補ＢＳのレンジング・トラフィック量を示す１または複数のレンジング・ローディング・パラメータを受信することと、
前記レンジング・ローディング・パラメータに少なくとも部分的に基づいて、前記候補ＢＳから、レンジングを実行するためのＢＳを選択することと、
前記選択されたＢＳを用いて前記レンジング動作を実行することと
を備える方法。
［Ｃ２］
前記レンジング・ローディング・パラメータは、前記候補ＢＳのおのおののために、１つのレンジング・ローディング・パラメータを備えるＣ１に記載の方法。
［Ｃ３］
前記レンジング・ローディング・パラメータは、使用可能なレンジング・スロット数によって除された、使用されたレンジング・スロット数を表すレンジング・ローディング・ファクタを備えるＣ２に記載の方法。
［Ｃ４］
前記レンジング・ローディング・パラメータは、未使用のレンジング・スロットの数またはパーセンテージを備えるＣ２に記載の方法。
［Ｃ５］
前記レンジング・ローディング・パラメータは、前記候補ＢＳの各レンジング領域について１つのレンジング・ローディング・パラメータを備え、
前記ＢＳを選択することは、前記レンジング・ローディング・パラメータに少なくとも部分的に基づいて、前記ＢＳと、レンジングを実行する前記ＢＳのレンジング領域とを選択することを備えるＣ１に記載の方法。
［Ｃ６］
前記選択することは、しきい値未満のレンジング・ローディング・パラメータを持つＢＳを選択することを備えるＣ１に記載の方法。
［Ｃ７］
前記ＢＳを選択することは、
サービス提供ＢＳのレンジング・ローディング・パラメータに基づいて、前記サービス提供ＢＳが、レンジング・オーバロードであるかを判定することと、
前記サービス提供ＢＳがレンジング・オーバロードではない場合、前記サービス提供ＢＳを、レンジングを実行するＢＳとして選択することと、
前記サービス提供ＢＳがレンジング・オーバロードである場合、前記候補ＢＳから、レンジングを実行するＢＳとして、近隣ＢＳを選択することと
を備えるＣ１に記載の方法。
［Ｃ８］
前記選択することは、前記レンジング・ローディング・パラメータに加えて、チャネル対干渉および雑音比（ＣＩＮＲ）、受信信号強度インジケーション（ＲＳＳＩ）、往復遅延（ＲＴＤ）、スケジューリング・サービス・サポート、使用可能なリソース、または、サービス品質（ＱｏＳ）のうちの少なくとも１つに基づいて前記ＢＳを選択することを備えるＣ１に記載の方法。
［Ｃ９］
前記選択することは、最低の受信レンジング・ローディング・パラメータを有するＢＳを、候補ＢＳから選択することを備えるＣ１に記載の方法。
［Ｃ１０］
前記レンジング・ローディング・パラメータを受信することは、前記レンジング・ローディング・パラメータのうちの少なくとも１つを有するアップリンク・チャンネル記述子（ＵＣＤ）を受信することを備えるＣ１に記載の方法。
［Ｃ１１］
前記レンジング・ローディング・パラメータを受信することは、前記レンジング・ローディング・パラメータのうちの少なくとも１つを有する近隣通知（ＭＯＢ−ＮＢＲ＿ＡＤＶ）メッセージを受信することを備えるＣ１に記載の方法。
［Ｃ１２］
レンジング動作を実行するための基地局（ＢＳ）を、移動局によって選択するためのコンピュータ・プログラム製品であって、前記コンピュータ・プログラム製品は、格納された命令群を有するコンピュータ読取可能媒体を備え、前記命令群は、１または複数のプロセッサによって実行されることが可能であり、前記命令群は、
１または複数の候補ＢＳのレンジング・トラフィック量を示す１または複数のレンジング・ローディング・パラメータを受信するための命令群と、
前記レンジング・ローディング・パラメータに少なくとも部分的に基づいて、前記候補ＢＳから、レンジングを実行するためのＢＳを選択するための命令群と、
前記選択されたＢＳを用いてレンジング動作を実行するための命令群と
を備えるコンピュータ・プログラム製品。
［Ｃ１３］
前記レンジング・ローディング・パラメータは、前記候補ＢＳのおのおののために、１つのレンジング・ローディング・パラメータを備えるＣ１２に記載のコンピュータ・プログラム製品。
［Ｃ１４］
前記レンジング・ローディング・パラメータは、使用可能なレンジング・スロット数によって除された、使用されたレンジング・スロット数を表すレンジング・ローディング・ファクタを備えるＣ１３に記載のコンピュータ・プログラム製品。
［Ｃ１５］
前記レンジング・ローディング・パラメータは、未使用のレンジング・スロットの数またはパーセンテージを備えるＣ１３に記載のコンピュータ・プログラム製品。
［Ｃ１６］
前記レンジング・ローディング・パラメータは、前記候補ＢＳの各レンジング領域について１つのレンジング・ローディング・パラメータを備え、
前記ＢＳを選択するための命令群は、前記レンジング・ローディング・パラメータに少なくとも部分的に基づいて、前記ＢＳと、レンジングを実行する前記ＢＳのレンジング領域とを選択するための命令群を備えるＣ１２に記載のコンピュータ・プログラム製品。
［Ｃ１７］
前記選択するための命令群は、しきい値未満のレンジング・ローディング・パラメータを持つＢＳを選択するための命令群を備えるＣ１２に記載のコンピュータ・プログラム製品。
［Ｃ１８］
前記ＢＳを選択するための命令群は、
サービス提供ＢＳのレンジング・ローディング・パラメータに基づいて、前記サービス提供ＢＳが、レンジング・オーバロードであるかを判定するための命令群と、
前記サービス提供ＢＳがレンジング・オーバロードではない場合、前記サービス提供ＢＳを、レンジングを実行するＢＳとして選択するための命令群と、
前記サービス提供ＢＳがレンジング・オーバロードである場合、前記候補ＢＳから、レンジングを実行するＢＳとして、近隣ＢＳを選択するための命令群と
を備えるＣ１２に記載のコンピュータ・プログラム製品。
［Ｃ１９］
前記選択するための命令群は、前記レンジング・ローディング・パラメータに加えて、チャネル対干渉および雑音比（ＣＩＮＲ）、受信信号強度インジケーション（ＲＳＳＩ）、往復遅延（ＲＴＤ）、スケジューリング・サービス・サポート、使用可能なリソース、または、サービス品質（ＱｏＳ）のうちの少なくとも１つに基づいて前記ＢＳを選択するための命令群を備えるＣ１２に記載のコンピュータ・プログラム製品。
［Ｃ２０］
前記選択するための命令群は、最低の受信レンジング・ローディング・パラメータを有するＢＳを、候補ＢＳから選択するための命令群を備えるＣ１２に記載のコンピュータ・プログラム製品。
［Ｃ２１］
前記レンジング・ローディング・パラメータを受信するための命令群は、前記レンジング・ローディング・パラメータのうちの少なくとも１つを有するアップリンク・チャンネル記述子（ＵＣＤ）を受信するための命令群を備えるＣ１２に記載のコンピュータ・プログラム製品。
［Ｃ２２］
前記レンジング・ローディング・パラメータを受信するための命令群は、前記レンジング・ローディング・パラメータのうちの少なくとも１つを有する近隣通知（ＭＯＢ−ＮＢＲ＿ＡＤＶ）メッセージを受信するための命令群を備えるＣ１２に記載のコンピュータ・プログラム製品。
［Ｃ２３］
レンジング動作を実行するための基地局（ＢＳ）を選択する装置であって、
１または複数の候補ＢＳのレンジング・トラフィック量を示す１または複数のレンジング・ローディング・パラメータを受信する手段と、
前記レンジング・ローディング・パラメータに少なくとも部分的に基づいて、前記候補ＢＳから、レンジングを実行するためのＢＳを選択する手段と、
前記選択されたＢＳを用いてレンジング動作を実行する手段と
を備える装置。
［Ｃ２４］
前記レンジング・ローディング・パラメータは、前記候補ＢＳのおのおののために、１つのレンジング・ローディング・パラメータを備えるＣ２３に記載の装置。
［Ｃ２５］
前記レンジング・ローディング・パラメータは、使用可能なレンジング・スロット数によって除された、使用されたレンジング・スロット数を表すレンジング・ローディング・ファクタを備えるＣ２４に記載の装置。
［Ｃ２６］
前記レンジング・ローディング・パラメータは、未使用のレンジング・スロットの数またはパーセンテージを備えるＣ２４に記載の装置。
［Ｃ２７］
前記レンジング・ローディング・パラメータは、前記候補ＢＳの各レンジング領域について１つのレンジング・ローディング・パラメータを備え、
前記ＢＳを選択する手段は、前記レンジング・ローディング・パラメータに少なくとも部分的に基づいて、前記ＢＳと、レンジングを実行する前記ＢＳのレンジング領域とを選択する手段を備えるＣ２３に記載の装置。
［Ｃ２８］
前記選択する手段は、しきい値未満のレンジング・ローディング・パラメータを持つＢＳを選択する手段を備えるＣ２３に記載の装置。
［Ｃ２９］
前記ＢＳを選択する手段は、
サービス提供ＢＳのレンジング・ローディング・パラメータに基づいて、前記サービス提供ＢＳが、レンジング・オーバロードであるかを判定する手段と、
前記サービス提供ＢＳがレンジング・オーバロードではない場合、前記サービス提供ＢＳを、レンジングを実行するＢＳとして選択する手段と、
前記サービス提供ＢＳがレンジング・オーバロードである場合、前記候補ＢＳから、レンジングを実行するＢＳとして、近隣ＢＳを選択する手段と
を備えるＣ２３に記載の装置。
［Ｃ３０］
前記選択する手段は、前記レンジング・ローディング・パラメータに加えて、チャネル対干渉および雑音比（ＣＩＮＲ）、受信信号強度インジケーション（ＲＳＳＩ）、往復遅延（ＲＴＤ）、スケジューリング・サービス・サポート、使用可能なリソース、または、サービス品質（ＱｏＳ）のうちの少なくとも１つに基づいて前記ＢＳを選択する手段を備えるＣ２３に記載の装置。
［Ｃ３１］
前記選択する手段は、最低の受信レンジング・ローディング・パラメータを有するＢＳを、候補ＢＳから選択する手段を備えるＣ２３に記載の装置。
［Ｃ３２］
前記レンジング・ローディング・パラメータを受信する手段は、前記レンジング・ローディング・パラメータのうちの少なくとも１つを有するアップリンク・チャンネル記述子（ＵＣＤ）を受信する手段を備えるＣ２３に記載の装置。
［Ｃ３３］
前記レンジング・ローディング・パラメータを受信する手段は、前記レンジング・ローディング・パラメータのうちの少なくとも１つを有する近隣通知（ＭＯＢ−ＮＢＲ＿ＡＤＶ）メッセージを受信する手段を備えるＣ２３に記載の装置。
［Ｃ３４］
モバイル・デバイスであって、
１または複数の候補基地局（ＢＳ）のためのレンジング・トラフィック量を示す１または複数のレンジング・ローディング・パラメータを受信するように構成された受信機フロント・エンドと、
前記レンジング・ローディング・パラメータに少なくとも部分的に基づいて、前記候補ＢＳから、レンジングを実行するための基地局（ＢＳ）を選択するためのロジックと、
前記選択されたＢＳを用いてレンジング動作を実行するためのロジックと
を備えるモバイル・デバイス。
［Ｃ３５］
前記レンジング・ローディング・パラメータは、前記候補ＢＳのおのおののために、１つのレンジング・ローディング・パラメータを備えるＣ３４に記載のモバイル・デバイス。
［Ｃ３６］
前記レンジング・ローディング・パラメータは、使用可能なレンジング・スロット数によって除された、使用されたレンジング・スロット数を表すレンジング・ローディング・ファクタを備えるＣ３５に記載のモバイル・デバイス。
［Ｃ３７］
前記レンジング・ローディング・パラメータは、未使用のレンジング・スロットの数またはパーセンテージを備えるＣ３５に記載のモバイル・デバイス。
［Ｃ３８］
前記レンジング・ローディング・パラメータは、前記候補ＢＳの各レンジング領域について１つのレンジング・ローディング・パラメータを備え、
前記ＢＳを選択するためのロジックは、前記レンジング・ローディング・パラメータに少なくとも部分的に基づいて、前記ＢＳと、レンジングを実行する前記ＢＳのレンジング領域とを選択するためのロジックを備えるＣ３４に記載のモバイル・デバイス。
［Ｃ３９］
前記選択するためのロジックは、しきい値未満のレンジング・ローディング・パラメータを持つＢＳを選択するように構成されたＣ３４に記載のモバイル・デバイス。
［Ｃ４０］
前記ＢＳを選択するためのロジックは、サービス提供ＢＳのレンジング・ローディング・パラメータに基づいて、前記サービス提供ＢＳが、レンジング・オーバロードであるかを判定し、前記サービス提供ＢＳがレンジング・オーバロードではない場合、前記サービス提供ＢＳを、レンジングを実行するＢＳとして選択し、前記サービス提供ＢＳがレンジング・オーバロードである場合、前記候補ＢＳから、レンジングを実行するＢＳとして、近隣ＢＳを選択するように構成されたＣ３４に記載のモバイル・デバイス。
［Ｃ４１］
前記選択するためのロジックは、前記レンジング・ローディング・パラメータに加えて、チャネル対干渉および雑音比（ＣＩＮＲ）、受信信号強度インジケーション（ＲＳＳＩ）、往復遅延（ＲＴＤ）、スケジューリング・サービス・サポート、使用可能なリソース、または、サービス品質（ＱｏＳ）のうちの少なくとも１つに基づいて前記ＢＳを選択するように構成されたＣ３４に記載のモバイル・デバイス。
［Ｃ４２］
前記選択するためのロジックは、最低の受信レンジング・ローディング・パラメータを有するＢＳを、候補ＢＳから選択するように構成されたＣ３４に記載のモバイル・デバイス。
［Ｃ４３］
前記受信機フロント・エンドは、前記レンジング・ローディング・パラメータのうちの少なくとも１つを有するアップリンク・チャンネル記述子（ＵＣＤ）を受信するように構成されたＣ３４に記載のモバイル・デバイス。
［Ｃ４４］
前記受信機フロント・エンドは、前記レンジング・ローディング・パラメータのうちの少なくとも１つを有する近隣通知（ＭＯＢ−ＮＢＲ＿ＡＤＶ）メッセージを受信するように構成されたＣ３４に記載のモバイル・デバイス。
［Ｃ４５］
基地局（ＢＳ）のレンジング・トラフィック量を移動局（ＭＳ）へ示す方法であって、
前記ＢＳのレンジング・トラフィック量を判定することと、
前記ＢＳのレンジング・トラフィック量を示すレンジング・ローディング・パラメータを送信することと
を備える方法。
［Ｃ４６］
前記レンジング・トラフィック量を判定することは、前記ＢＳについて、使用されたレンジング・スロット数を、使用可能なレンジング・スロット数で除することを備えるＣ４５に記載の方法。
［Ｃ４７］
前記レンジング・トラフィック量を判定することは、未使用のレンジング・スロットの数またはパーセンテージを判定することを備えるＣ４５に記載の方法。
［Ｃ４８］
前記レンジング・トラフィック量を判定することは、無線通信ネットワークのバックボーンによって、前記ＢＳのレンジング・ローディング・パラメータまたはレンジング・トラフィック量を、別のＢＳから受信することを備えるＣ４５に記載の方法。
［Ｃ４９］
前記ＢＳは、近隣ＢＳであり、
前記レンジング・ローディング・パラメータを送信することは、前記近隣ＢＳのレンジング・ローディング・パラメータを有する近隣通知（ＭＯＢ＿ＮＢＲ−ＡＤＶ）メッセージを送信することを備えるＣ４５に記載の方法。
［Ｃ５０］
前記ＢＳは、サービス提供ＢＳであり、
前記レンジング・ローディング・パラメータを送信することは、前記サービス提供ＢＳのレンジング・ローディング・パラメータを有するアップリンク・チャンネル記述子（ＵＣＤ）を送信することを備えるＣ４５に記載の方法。
［Ｃ５１］
前記レンジング・ローディング・パラメータが、しきい値未満である場合に、レンジング要求を受信することをさらに備えるＣ４５に記載の方法。
［Ｃ５２］
前記レンジング要求は、レンジング要求（ＲＮＧ−ＲＥＱ）メッセージおよび符号分割多元接続（ＣＤＭＡ）レンジング符号のうちの１つを備えるＣ５１に記載の方法。
［Ｃ５３］
基地局（ＢＳ）のレンジング・トラフィック量を移動局（ＭＳ）へ示すためのコンピュータ・プログラム製品であって、前記コンピュータ・プログラム製品は、格納された命令群を有するコンピュータ読取可能媒体を備え、前記命令群は、１または複数のプロセッサによって実行されることが可能であり、前記命令群は、
前記ＢＳのレンジング・トラフィック量を判定するための命令群と、
前記ＢＳのレンジング・トラフィック量を示すレンジング・ローディング・パラメータを送信するための命令群と
を備えるコンピュータ・プログラム製品。
［Ｃ５４］
前記レンジング・トラフィック量を判定するための命令群は、前記ＢＳについて、使用されたレンジング・スロット数を、使用可能なレンジング・スロット数で除するための命令群を備えるＣ５３に記載のコンピュータ・プログラム製品。
［Ｃ５５］
前記レンジング・トラフィック量を判定するための命令群は、未使用のレンジング・スロットの数またはパーセンテージを判定するための命令群を備えるＣ５３に記載のコンピュータ・プログラム製品。
［Ｃ５６］
前記レンジング・トラフィック量を判定するための命令群は、無線通信ネットワークのバックボーンによって、前記ＢＳのレンジング・ローディング・パラメータまたはレンジング・トラフィック量を、別のＢＳから受信するための命令群を備えるＣ５３に記載のコンピュータ・プログラム製品。
［Ｃ５７］
前記ＢＳは、近隣ＢＳであり、
前記レンジング・ローディング・パラメータを送信するための命令群は、前記近隣ＢＳのレンジング・ローディング・パラメータを有する近隣通知（ＭＯＢ＿ＮＢＲ−ＡＤＶ）メッセージを送信するための命令群を備えるＣ５３に記載のコンピュータ・プログラム製品。
［Ｃ５８］
前記ＢＳは、サービス提供ＢＳであり、
前記レンジング・ローディング・パラメータを送信するための命令群は、前記サービス提供ＢＳのレンジング・ローディング・パラメータを有するアップリンク・チャンネル記述子（ＵＣＤ）を送信するための命令群を備えるＣ５３に記載のコンピュータ・プログラム製品。
［Ｃ５９］
前記レンジング・ローディング・パラメータが、しきい値未満である場合に、レンジング要求を受信するための命令群をさらに備えるＣ５３に記載のコンピュータ・プログラム製品。
［Ｃ６０］
前記レンジング要求は、レンジング要求（ＲＮＧ−ＲＥＱ）メッセージおよび符号分割多元接続（ＣＤＭＡ）レンジング符号のうちの１つを備えるＣ５９に記載のコンピュータ・プログラム製品。
［Ｃ６１］
基地局（ＢＳ）のレンジング・トラフィック量を移動局（ＭＳ）に示すための装置であって、
前記ＢＳのレンジング・トラフィック量を判定する手段と、
前記ＢＳのレンジング・トラフィック量を示すレンジング・ローディング・パラメータを送信する手段と
を備える装置。
［Ｃ６２］
前記ＢＳであるＣ６１に記載の装置。
［Ｃ６３］
前記レンジング・トラフィック量を判定する手段は、前記ＢＳについて、使用されたレンジング・スロット数を、使用可能なレンジング・スロット数で除する手段を備えるＣ６１に記載の装置。
［Ｃ６４］
前記レンジング・トラフィック量を判定する手段は、未使用のレンジング・スロットの数またはパーセンテージを判定する手段を備えるＣ６１に記載の装置。
［Ｃ６５］
前記レンジング・トラフィック量を判定する手段は、無線通信ネットワークのバックボーンによって、前記ＢＳのレンジング・ローディング・パラメータまたはレンジング・トラフィック量を、別のＢＳから受信する手段を備えるＣ６１に記載の装置。
［Ｃ６６］
前記ＢＳは、近隣ＢＳであり、
前記レンジング・ローディング・パラメータを送信する手段は、前記近隣ＢＳのレンジング・ローディング・パラメータを有する近隣通知（ＭＯＢ＿ＮＢＲ−ＡＤＶ）メッセージを送信する手段を備えるＣ６１に記載の装置。
［Ｃ６７］
前記ＢＳは、サービス提供ＢＳであり、
前記レンジング・ローディング・パラメータを送信する手段は、前記サービス提供ＢＳのレンジング・ローディング・パラメータを有するアップリンク・チャンネル記述子（ＵＣＤ）を送信する手段を備えるＣ６１に記載の装置。
［Ｃ６８］
前記レンジング・ローディング・パラメータが、しきい値未満である場合に、レンジング要求を受信する手段をさらに備えるＣ６１に記載の装置。
［Ｃ６９］
前記レンジング要求は、レンジング要求（ＲＮＧ−ＲＥＱ）メッセージおよび符号分割多元接続（ＣＤＭＡ）レンジング符号のうちの１つを備えるＣ６８に記載の装置。
［Ｃ７０］
第２の基地局（ＢＳ）のレンジング・トラフィック量を移動局（ＭＳ）へ示すための第１の基地局であって、
前記第２のＢＳのレンジング・トラフィック量を判定するロジックと、
前記第２のＢＳのレンジング・トラフィック量を示すレンジング・ローディング・パラメータを送信するように構成された送信機フロント・エンドと
を備える第１の基地局。
［Ｃ７１］
前記第２のＢＳであるＣ７０に記載の第１の基地局。
［Ｃ７２］
前記レンジング・トラフィック量を判定するためのロジックは、前記ＢＳについて、使用されたレンジング・スロット数を、使用可能なレンジング・スロット数で除するように構成されたＣ７０に記載の第１の基地局。
［Ｃ７３］
前記レンジング・トラフィック量を判定するためのロジックは、未使用のレンジング・スロットの数またはパーセンテージを判定するように構成されたＣ７０に記載の第１の基地局。
［Ｃ７４］
前記レンジング・トラフィック量を判定するためのロジックは、無線通信ネットワークのバックボーンによって、前記ＢＳのレンジング・ローディング・パラメータまたはレンジング・トラフィック量を、別のＢＳから受信するように構成されたＣ７０に記載の第１の基地局。
［Ｃ７５］
前記第２のＢＳは、近隣ＢＳであり、
前記送信機フロント・エンドは、前記近隣ＢＳのレンジング・ローディング・パラメータを有する近隣通知（ＭＯＢ＿ＮＢＲ−ＡＤＶ）メッセージを送信するように構成されたＣ７０に記載の第１の基地局。
［Ｃ７６］
前記第１のＢＳは、サービス提供ＢＳであり、
前記送信機フロント・エンドは、前記サービス提供ＢＳのレンジング・ローディング・パラメータを有するアップリンク・チャンネル記述子（ＵＣＤ）を送信するように構成されたＣ７０に記載の第１の基地局。
［Ｃ７７］
前記レンジング・ローディング・パラメータが、しきい値未満である場合に、レンジング要求を受信するように構成された受信機フロント・エンドをさらに備えるＣ７０に記載の第１の基地局。
［Ｃ７８］
前記レンジング要求は、レンジング要求（ＲＮＧ−ＲＥＱ）メッセージおよび符号分割多元接続（ＣＤＭＡ）レンジング符号のうちの１つを備えるＣ７７に記載の第１の基地局。
【図１】
0005259837.tif 000002
【図２】
0005259837.tif 000003
【図３】
0005259837.tif 000004
【図４】
0005259837.tif 000005
【図５】
0005259837.tif 000006
【図５Ａ】
0005259837.tif 000007
【図６】
0005259837.tif 000008
【図６Ａ】
0005259837.tif 000009
【図７】
0005259837.tif 000010
【図８】
0005259837.tif 000011